(57)【要約】  非直交多元接続（ＮＯＭＡ）、周波数ホッピング、および電力制御のためのシステム、方法、および手段が開示される。ＮＯＭＡは、非同期および／または許可不要送信に適用され得る。複数のＷＴＲＵからの送信は、同じリソースを使用して実行されてもよく、送信を正確に識別し復号するための情報を備えてもよい。送信は、受信機におけるタイミング取得をサポートするために、組込み決定論的シーケンスを備えることができる。送信は、送信のために使用されるそれぞれの送信電力に基づいて区別され得る。そのような送信電力は、ランダムに選択された電力オフセットを適用することによって動的に制御され得る。電力制御は、ＷＴＲＵによって自律的に実行され得る。
2019520728.tif 000002
【特許請求の範囲】
【請求項１】
無線送受信ユニット（ＷＴＲＵ）におけるアップリンク送信に関連付けられる方法であって、
前記ＷＴＲＵがネットワークから構成を受信することであって、前記構成は、前記ＷＴＲＵによるアップリンク動作に関連付けられる電力オフセットのセットを示す、ことと、
前記ＷＴＲＵが電力オフセットの前記セットからアップリンク送信で使用する電力オフセットをランダムに選択することと、
前記ＷＴＲＵが前記選択された電力オフセットを前記アップリンク送信の少なくとも一部に適用することと、
を備える方法。
【請求項２】
電力オフセットの前記セットが値の範囲を備える、請求項１の方法。
【請求項３】
前記ＷＴＲＵは、前記アップリンク送信が非直交多元接続（ＮＯＭＡ）送信を備えることを決定することをさらに備える、請求項１の方法。
【請求項４】
前記ＷＴＲＵが、電力オフセットがＮＯＭＡ送信に適用されるべきであるという指示を前記ネットワークから受信することをさらに備える、請求項３の方法。
【請求項５】
前記アップリンク送信は、許可不要送信である、請求項１の方法。
【請求項６】
前記アップリンク送信は、第１の部分と第２の部分とを備え、前記選択された電力オフセットは、前記第１の部分に適用され、前記第２の部分には適用されない、請求項１の方法。
【請求項７】
前記アップリンク送信の前記第１の部分は、ＮＯＭＡ部分を備え、前記アップリンク送信の前記第２の部分は、非ＮＯＭＡ部分を備える、請求項６の方法。
【請求項８】
前記アップリンク送信の前記第１の部分は、前記アップリンク送信に関連付けられるサブフレームの第１のサブセットを備え、前記アップリンク送信の前記第２の部分は、前記アップリンク送信に関連付けられるサブフレームの第２のサブセットを備える、請求項６の方法。
【請求項９】
前記アップリンク送信の前記第１の部分は、前記アップリンク送信に関連付けられるスロットの第１のサブセットを備え、前記アップリンク送信の前記第２の部分は、前記アップリンク送信に関連付けられるスロットの第２のサブセットを備える、請求項６の方法。
【請求項１０】
前記アップリンク送信の前記第１の部分は、前記アップリンク送信に関連付けられるシンボルの第１のサブセットを備え、前記アップリンク送信の前記第２の部分は、前記アップリンク送信に関連付けられるシンボルの第２のサブセットを備える、請求項６の方法。
【請求項１１】
無線送受信ユニット（ＷＴＲＵ）であって、
ネットワークから構成を受信し、前記構成は前記ＷＴＲＵによるアップリンク動作に関連付けられる電力オフセットのセットを示し、
電力オフセットの前記セットからアップリンク送信で使用する電力オフセットをランダムに選択し、
前記選択された電力オフセットを前記アップリンク送信の少なくとも一部に適用する
ように構成されたプロセッサを備えたＷＴＲＵ。
【請求項１２】
電力オフセットの前記セットが値の範囲を備える、請求項１１のＷＴＲＵ。
【請求項１３】
前記プロセッサは、前記アップリンク送信が非直交多元接続（ＮＯＭＡ）送信を備えることを決定するようにさらに構成される、請求項１１のＷＴＲＵ。
【請求項１４】
前記プロセッサは、電力オフセットがＮＯＭＡ送信に適用されるべきであるという指示を前記ネットワークから受信するようにさらに構成される、請求項１３のＷＴＲＵ。
【請求項１５】
前記アップリンク送信は、許可不要送信である、請求項１１のＷＴＲＵ。
【請求項１６】
前記アップリンク送信は、第１の部分と第２の部分とを備え、前記プロセッサは、前記選択された電力オフセットを前記第１の部分に適用し、前記選択された電力オフセットを前記第２の部分には適用しないように構成される、請求項１１のＷＴＲＵ。
【請求項１７】
前記アップリンク送信の前記第１の部分は、ＮＯＭＡ部分を備え、前記アップリンク送信の前記第２の部分は、非ＮＯＭＡ部分を備える、請求項１６のＷＴＲＵ。
【請求項１８】
前記アップリンク送信の前記第１の部分は、前記アップリンク送信に関連付けられるサブフレームの第１のサブセットを備え、前記アップリンク送信の前記第２の部分は、前記アップリンク送信に関連付けられるサブフレームの第２のサブセットを備える、請求項１６のＷＴＲＵ。
【請求項１９】
前記アップリンク送信の前記第１の部分は、前記アップリンク送信に関連付けられるスロットの第１のサブセットを備え、前記アップリンク送信の前記第２の部分は、前記アップリンク送信に関連付けられるスロットの第２のサブセットを備える、請求項１６のＷＴＲＵ。
【請求項２０】
前記アップリンク送信の前記第１の部分は、前記アップリンク送信に関連付けられるシンボルの第１のサブセットを備え、前記アップリンク送信の前記第２の部分は、前記アップリンク送信に関連付けられるシンボルの第２のサブセットを備える、請求項１６のＷＴＲＵ。
【発明の詳細な説明】
【背景技術】
【０００１】
関連出願の相互参照
本出願は、2016年5月11日に出願された米国仮特許出願第62/334,499号、および2016年8月10日に出願された米国仮特許出願第62/373,088号の利益を主張し、その開示内容は、参照によりその全体が本明細書に組み込まれる。
【０００２】
モバイル通信は進化し続ける。第５世代は５Ｇと呼ばれることがある。５Ｇシステムでは、無線送受信ユニット（ＷＴＲＵ）は、タイミングアラインメントを確立することなしに、および／またはネットワークからの許可を待つことなしに、データおよび／または制御情報を送信することができる。そのような送信は、異なるＷＴＲＵが同じ時間／周波数リソースを使用して送信することができるので、受信機において多元接続干渉を作成する可能性がある。
【発明の概要】
【０００３】
無線送受信ユニット（ＷＴＲＵ）におけるアップリンク送信を制御することに関連付けられるシステム、方法、および手段が、本明細書において開示される。ＷＴＲＵは、１つまたは複数の他のＷＴＲＵと同時にアップリンク送信を実行することができる。ＷＴＲＵによる送信は、非直交多元接続（ＮＯＭＡ）技法を使用して実行され得る。ＷＴＲＵは、アップリンク動作においてＷＴＲＵによって適用されるべき電力オフセットのセットを示す構成をネットワークから受信することができる。電力オフセットのセットは、値の範囲を含むことができる。ＷＴＲＵは、例えば、アップリンク送信で使用する値の範囲から、電力オフセットをランダムに選択することができる。電力オフセットは、受信機が異なるＷＴＲＵによる送信を区別すること、および／または送信間の干渉を低減することを可能にすることができる。アップリンク送信は、許可不要送信（例えば、ＷＴＲＵがネットワークからの許可なしに送信を実行することができる）であってもよい。アップリンク送信全体はＮＯＭＡ送信であってもよく、アップリンク送信の一部はＮＯＭＡを使用して送信されてもよい。
【０００４】
ＷＴＲＵは、ランダムに選択された電力オフセットを、アップリンク送信全体またはアップリンク送信の一部に適用するように構成され得る。以下のうちの１つまたは複数を適用することができる。ＷＴＲＵは、ランダムに選択された電力オフセットを、送信の１つまたは複数のサブフレームの第１のセットに適用するが、送信の１つまたは複数のサブフレームの第２のセットには適用しないように構成され得る。ＷＴＲＵは、ランダムに選択された電力オフセットを、送信の１つまたは複数のスロットの第１のセットに適用するが、送信の１つまたは複数のスロットの第２のセットには適用しないように、または、ランダムに選択された電力オフセットを、送信の１つまたは複数のシンボルの第１のセットには適用するが、送信の１つまたは複数のシンボルの第２のセットには適用しないように構成され得る。アップリンク送信がＮＯＭＡ部分と非ＮＯＭＡ部分とを有する場合、ＷＴＲＵは、ランダムに選択された電力オフセットをＮＯＭＡ部分に適用し、非ＮＯＭＡ部分には適用しないように構成され得る。
【図面の簡単な説明】
【０００５】
【図１Ａ】１つまたは複数の開示された実施形態が実装され得る例示的な通信システムのシステム図である。
【図１Ｂ】図１Ａに示される通信システム内で使用され得る例示的なＷＴＲＵのシステム図である。
【図１Ｃ】図１Ａに示される通信システム内で使用され得る例示的な無線アクセスネットワークおよび例示的なコアネットワークのシステム図である。
【図１Ｄ】図１Ａに示される通信システム内で使用され得る別の例示的な無線アクセスネットワークおよび別の例示的なコアネットワークのシステム図である。
【図１Ｅ】図１Ａに示される通信システム内で使用され得る別の例示的な無線アクセスネットワークおよび別の例示的なコアネットワークのシステム図である。
【図２】アップリンク（ＵＬ）ＮＯＭＡのユーザグルーピングおよび連続的なキャンセルの例を示す図である。
【図３】ＵＬ  ＮＯＭＡに対する干渉アラインメントのためのユーザグルーピングの例を示す図である。
【図４】異なるＷＴＲＵ間のタイミングオフセットを有する非同期送信の例を示す図である。
【図５】ユニークワード（ＵＷ）およびデータ信号を時間多重化する例を示す図である。
【図６】タイミングオフセットを有する非同期送信のための受信ウィンドウの例を示す図である。
【図７】異なる時間／周波数リソース上でデータを送信する例を示す図である。
【図８】周波数ホッピングによる電力制御の例を示す図である。
【図９】許可不要送信のためのリソースプールの例を示す図である。
【発明を実施するための形態】
【０００６】
次に、例示的な実施形態の詳細な説明を、様々な図面を参照して説明する。この説明は可能な実装形態の詳細な例を提供するが、詳細は例示的なものであることが意図されており、決して本出願の範囲を限定するものではない点に留意されたい。
【０００７】
図１Ａは、１つまたは複数の開示された実施形態が実装され得る例示的な通信システム１００の図である。通信システム１００は、音声、データ、ビデオ、メッセージング、放送などのコンテンツを複数の無線ユーザに提供する多元接続システムであってよい。通信システム１００は、複数の無線ユーザが、無線帯域幅を含むシステムリソースの共有を通じて、そのようなコンテンツにアクセスすることを可能にする。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方式を採用することができる。
【０００８】
図１Ａに示されるように、通信システム１００は、無線送受信ユニット（ＷＴＲＵ）、例えば、ＷＴＲＵ１０２ａ、１０２ｂ、１０２ｃ、および／または１０２ｄ（これは、一般的に、または集合的にＷＴＲＵ１０２と呼ばれることができる）、無線アクセスネットワーク（ＲＡＮ）１０３／１０４／１０５、コアネットワーク１０６／１０７／１０９、公衆交換電話網（ＰＳＴＮ）１０８、インターネット１１０、および他のネットワーク１１２を含むことができるが、開示された実施形態は、任意の数のＷＴＲＵ、基地局、ネットワーク、および／またはネットワーク要素を想定していることが理解されよう。ＷＴＲＵ１０２ａ、１０２ｂ、１０２ｃ、１０２ｄの各々は、無線環境において動作する、および／または通信するように構成された任意のタイプのデバイスであってよい。例えば、ＷＴＲＵ１０２ａ、１０２ｂ、１０２ｃ、１０２ｄは、無線信号を送信および／または受信するように構成されてもよく、ユーザ機器（ＵＥ）、移動局、固定またはモバイル加入者ユニット、ページャ、セルラー電話、携帯情報端末（ＰＤＡ）、スマートフォン、ラップトップ、ネットブック、パーソナルコンピュータ、無線センサ、家庭用電化製品などを含むことができる。
【０００９】
通信システム１００はまた、基地局１１４ａおよび基地局１１４ｂを含むことができる。基地局１１４ａ、１１４ｂの各々は、コアネットワーク１０６／１０７／１０９、インターネット１１０、および／またはネットワーク１１２などの１つもしくは複数の通信ネットワークへのアクセスを容易にするために、ＷＴＲＵ１０２ａ、１０２ｂ、１０２ｃ、１０２ｄのうちの少なくとも１つとワイヤレスでインターフェースするように構成された任意のタイプのデバイスであってよい。例えば、基地局１１４ａ、１１４ｂは基地トランシーバ局（ＢＴＳ）、ノードＢ、ｅノードＢ、ホームノードＢ、ホームｅノードＢ、サイトコントローラ、アクセスポイント（ＡＰ）、無線ルータなどであってよい。基地局１１４ａ、１１４ｂはそれぞれ単一の要素として示されているが、基地局１１４ａ、１１４ｂは任意の数の相互接続された基地局および／またはネットワーク要素を含むことができることが理解されよう。
【００１０】
基地局１１４ａは、ＲＡＮ１０３／１０４／１０５の一部であってもよく、また、基地局コントローラ（ＢＳＣ）、無線ネットワークコントローラ（ＲＮＣ）、中継ノードなどの他の基地局および／またはネットワーク要素（図示せず）を含むことができる。基地局１１４ａおよび／または基地局１１４ｂは、セル（図示せず）と呼ばれることができる特定の地理的領域内で無線信号を送信および／または受信するように構成され得る。セルは、セルセクタにさらに分割され得る。例えば、基地局１１４ａに関連付けられるセルは、３つのセクタに分割され得る。したがって、いくつかの実施形態では、基地局１１４ａは、例えばセルのセクタごとに１つの、３つのトランシーバを含むことができる。別の実施形態では、基地局１１４ａは、多入力多出力（ＭＩＭＯ）技術を採用することができ、したがって、セルのセクタごとに複数のトランシーバを利用することができる。
【００１１】
基地局１１４ａ、１１４ｂは、ＷＴＲＵ１０２ａ、１０２ｂ、１０２ｃ、１０２ｄのうちの１つまたは複数とエアインターフェース１１５／１１６／１１７を介して通信することができ、これは任意の適切な無線通信リンク（例えば、無線周波数（ＲＦ）、マイクロ波、赤外線（ＩＲ）、紫外線（ＵＶ）、可視光線など）であってよい。エアインターフェース１１５／１１６／１１７は、任意の適切な無線アクセス技術（ＲＡＴ）を使用して確立され得る。
【００１２】
より具体的には、上述のように、通信システム１００は、多元接続システムであってもよく、ＣＤＭＡ、ＴＤＭＡ、ＦＤＭＡ、ＯＦＤＭＡ、ＳＣ−ＦＤＭＡなどの１つまたは複数のチャネルアクセス方式を採用することができる。例えば、ＲＡＮ１０３／１０４／１０５内の基地局１１４ａ、およびＷＴＲＵ１０２ａ、１０２ｂ、１０２ｃは、ユニバーサルモバイル通信システム（ＵＭＴＳ）地上無線アクセス（ＵＴＲＡ）などの無線技術を実装することができ、これは広帯域ＣＤＭＡ（ＷＣＤＭＡ（登録商標））を使用してエアインターフェース１１５／１１６／１１７を確立することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１３】
別の実施形態では、基地局１１４ａおよびＷＴＲＵ１０２ａ、１０２ｂ、１０２ｃは、進化型ＵＭＴＳ地上無線アクセス（Ｅ−ＵＴＲＡ）などの無線技術を実装することができ、これはロングタームエボリューション（ＬＴＥ）および／またはＬＴＥ−Ａｄｖａｎｃｅｄ（ＬＴＥ−Ａ）を使用してエアインターフェース１１５／１１６／１１７を確立することができる。
【００１４】
他の実施形態では、基地局１１４ａおよびＷＴＲＵ１０２ａ、１０２ｂ、１０２ｃは、ＩＥＥＥ８０２．１６（例えば、ＷｉＭＡＸ（Worldwide Interoperability for Microwave Access））、ＣＤＭＡ２０００、ＣＤＭＡ２０００  ＩＸ、ＣＤＭＡ２０００  ＥＶ−ＤＯ、暫定基準２０００（ＩＳ−２０００）、暫定基準９５（ＩＳ−９５）、暫定基準８５６（ＩＳ−８５６）、ＧＳＭ（登録商標）（Global System for Mobile Communications）、ＧＳＭ進化型高速データレート（ＥＤＧＥ）、ＧＳＭ  ＥＤＧＥ（ＧＥＲＡＮ）などの無線技術を実装することができる。
【００１５】
図１Ａの基地局１１４ｂは、例えば、無線ルータ、ホームノードＢ、ホームｅノードＢ、またはアクセスポイントであってもよく、事業所、家庭、車両、キャンパスなどのローカライズされたエリアにおける無線接続性を容易にするための任意の適切なＲＡＴを利用することができる。いくつかの実施形態では、基地局１１４ｂおよびＷＴＲＵ１０２ｃ、１０２ｄは、無線ローカルエリアネットワーク（ＷＬＡＮ）を確立するためにＩＥＥＥ８０２．１１などの無線技術を実装することができる。別の実施形態では、基地局１１４ｂおよびＷＴＲＵ１０２ｃ、１０２ｄは、無線パーソナルエリアネットワーク（ＷＰＡＮ）を確立するためにＩＥＥＥ８０２．１５などの無線技術を実装することができる。別の実施形態では、基地局１１４ｂおよびＷＴＲＵ  １０２ｃ、１０２ｄは、ピコセルまたはフェムトセルを確立するために、セルラーベースのＲＡＴ（例えば、ＷＣＤＭＡ、ＣＤＭＡ２０００、ＧＳＭ、ＬＴＥ、ＬＴＥ−Ａなど）を利用することができる。図１Ａに示されるように、基地局１１４ｂはインターネット１１０への直接接続を有することができる。したがって、基地局１１４ｂは、コアネットワーク１０６／１０７／１０９を介してインターネット１１０にアクセスすることが必要とされなくてよい。
【００１６】
ＲＡＮ１０３／１０４／１０５は、音声、データ、アプリケーション、および／またはＶｏＩＰ（Voice over Internet Protocol）サービスをＷＴＲＵ１０２ａ、１０２ｂ、１０２ｃ、１０２ｄの１つまたは複数に提供するように構成された任意のタイプのネットワークであってもよいコアネットワーク１０６／１０７／１０９と通信することができる。例えば、コアネットワーク１０６／１０７／１０９は、呼制御、課金サービス、モバイル位置情報サービス、プリペイドコール、インターネット接続性、ビデオ配信などを提供することができ、および／またはユーザ認証などの高レベルのセキュリティ機能を実行することができる。図１Ａには示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを採用する他のＲＡＮと直接的または間接的に通信することができることが理解されよう。例えば、Ｅ−ＵＴＲＡ無線技術を利用することができるＲＡＮ１０３／１０４／１０５に接続されることに加えて、コアネットワーク１０６／１０７／１０９はまた、ＧＳＭ無線技術を採用する別のＲＡＮ（図示せず）と通信することができる。
【００１７】
コアネットワーク１０６／１０７／１０９は、ＷＴＲＵ１０２ａ、１０２ｂ、１０２ｃ、１０２ｄが、ＰＳＴＮ１０８、インターネット１１０、および／または他のネットワーク１１２にアクセスするためのゲートウェイとしても機能することができる。ＰＳＴＮ１０８は、ＰＯＴＳ（plain old telephone service）を提供する回線交換電話ネットワークを含むことができる。インターネット１１０は、ＴＣＰ／ＩＰインターネットプロトコル（ＩＰ）スイートにおけるＴＣＰ、ＵＤＰおよびＩＰなどの共通の通信プロトコルを使用する、相互接続されたコンピュータネットワークおよびデバイスのグローバルシステムを含むことができる。ネットワーク１１２は、他のサービスプロバイダによって所有および／または動作される有線または無線通信ネットワークを含むことができる。例えば、ネットワーク１１２は、ＲＡＮ１０３／１０４／１０５と同じＲＡＴまたは異なるＲＡＴを採用することができる１つまたは複数のＲＡＮに接続された別のコアネットワークを含むことができる。
【００１８】
通信システム１００内のＷＴＲＵ１０２ａ、１０２ｂ、１０２ｃ、１０２ｄのうちのいくつかまたは全てはマルチモード機能を含むことができ、例えば、ＷＴＲＵ１０２ａ、１０２ｂ、１０２ｃ、１０２ｄは、異なる無線リンクを介して異なる無線ネットワークと通信するための複数のトランシーバを含むことができる。例えば、図１Ａに示されるＷＴＲＵ１０２ｃは、セルラーベースの無線技術を採用することができる基地局１１４ａと、またＩＥＥＥ８０２無線技術を採用することができる基地局１１４ｂと通信するように構成され得る。
【００１９】
図１Ｂは、例示的なＷＴＲＵ１０２のシステム図である。図１Ｂに示されるように、ＷＴＲＵ１０２は、プロセッサ１１８、トランシーバ１２０、送受信要素１２２、スピーカ／マイクロフォン１２４、キーパッド１２６、ディスプレイ／タッチパッド１２８、非リムーバブルメモリ１３０、リムーバブルメモリ１３２、電源１３４、ＧＰＳチップセット１３６、および他の周辺機器１３８を含むことができる。ＷＴＲＵ１０２は、実施形態と一致したまま、前述の要素の任意のサブコンビネーションを含むことができることが理解されよう。実施形態は、これに限定されないが、とりわけ、トランシーバ局（ＢＴＳ）、ノードＢ、サイトコントローラ、アクセスポイント（ＡＰ）、ホームノードＢ、進化型ホームノードＢ（ｅノードＢ）、ホーム進化型ノードＢ（ＨｅＮＢまたはＨｅノードＢ）、ホーム進化型ノードＢゲートウェイ、およびプロキシノードなどの基地局１１４ａおよび１１４ｂ、並びに／または基地局１１４ａおよび１１４ｂが表すことができるノードが、図１Ｂに示され、本明細書に記載される要素のうちのいくつかまたは全てを含むことができることを想定している。
【００２０】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などであってよい。プロセッサ１１８は、信号符号化、データ処理、電力制御、入力／出力処理、および／またはＷＴＲＵ１０２が無線環境において動作することを可能にする任意の他の機能を実行することができる。プロセッサ１１８は、送受信要素１２２に結合され得るトランシーバ１２０に結合され得る。図１Ｂはプロセッサ１１８とトランシーバ１２０を別個の構成要素として示しているが、プロセッサ１１８とトランシーバ１２０は電子パッケージまたはチップに一体化されていてもよいことは理解されよう。
【００２１】
送受信要素１２２は、エアインターフェース１１５／１１６／１１７を介して基地局（例えば、基地局１１４ａ）に信号を送信するか、基地局（例えば、基地局１１４ａ）から信号を受信するように構成され得る。例えば、いくつかの実施形態では、送受信要素１２２は、ＲＦ信号を送信および／または受信するように構成されたアンテナであってもよい。別の実施形態では、送受信要素１２２は、例えば、ＩＲ、ＵＶ、または可視光信号を送信および／または受信するように構成されたエミッタ／検出器であってもよい。別の実施形態では、送受信要素１２２は、ＲＦ信号および光信号の両方を送信および受信するように構成され得る。送受信要素１２２は、無線信号の任意の組合せを送信および／または受信するように構成され得ることが理解されよう。
【００２２】
さらに、送受信要素１２２が単一の要素として図１Ｂに示されているが、ＷＴＲＵ１０２は、任意の数の送受信要素１２２を含むことができる。より具体的には、ＷＴＲＵ１０２は、ＭＩＭＯ技術を採用することができる。したがって、いくつかの実施形態では、ＷＴＲＵ１０２は、エアインターフェース１１５／１１６／１１７を介して無線信号を送信および受信するための２つ以上の送受信要素１２２（例えば、複数のアンテナ）を含むことができる。
【００２３】
トランシーバ１２０は、送受信要素１２２によって送信される信号を変調し、送受信要素１２２によって受信される信号を復調するように構成され得る。上述のように、ＷＴＲＵ１０２はマルチモード機能を有することができる。したがって、トランシーバ１２０は、例えば、ＵＴＲＡおよびＩＥＥＥ８０２．１１などの複数のＲＡＴを介してＷＴＲＵ１０２が通信することを可能にするための複数のトランシーバを含むことができる。
【００２４】
ＷＴＲＵ１０２のプロセッサ１１８は、スピーカ／マイクロフォン１２４、キーパッド１２６、および／またはディスプレイ／タッチパッド１２８（例えば、液晶ディスプレイ（ＬＣＤ）ディスプレイユニット、または有機発光ダイオード（ＯＬＥＤ）ディスプレイユニット）に結合され、そこからユーザ入力データを受信することができる。プロセッサ１１８はまた、ユーザデータをスピーカ／マイクロフォン１２４、キーパッド１２６、および／またはディスプレイ／タッチパッド１２８に出力することができる。さらに、プロセッサ１１８は、非リムーバブルメモリ１３０および／またはリムーバブルメモリ１３２などの任意のタイプの適切なメモリから情報にアクセスし、そこにデータを記憶することができる。非リムーバブルメモリ１３０は、ＲＡＭ、ＲＯＭ、ハードディスク、または任意の他のタイプのメモリストレージデバイスを含むことができる。リムーバブルメモリ１３２は、加入者識別モジュール（ＳＩＭ）カード、メモリスティック、セキュアデジタル（ＳＤ）メモリカードなどを含むことができる。他の実施形態では、プロセッサ１１８は、サーバまたは家庭用コンピュータ（図示せず）などのＷＴＲＵ１０２上に物理的に配置されていないメモリから情報にアクセスし、そこにデータを記憶することができる。
【００２５】
プロセッサ１１８は、電源１３４から電力を受信することができ、ＷＴＲＵ１０２内の他の構成要素に電力を分配および／または制御するように構成され得る。電源１３４は、ＷＴＲＵ１０２に電力を供給するための任意の適切なデバイスであってよい。例えば、電源１３４は、１つまたは複数の乾電池（例えば、ニッケル−カドミウム（ＮｉＣｄ）、ニッケル−亜鉛（ＮｉＺｎ）、ニッケル金属水素化物（ＮｉＭＨ）、リチウム−イオン（Ｌｉ−ｉｏｎ）など）、太陽電池、燃料電池などを含むことができる。
【００２６】
プロセッサ１１８はまた、ＷＴＲＵ１０２の現在の位置に関する位置情報（例えば、経度および緯度）を提供するように構成され得るＧＰＳチップセット１３６に結合され得る。ＧＰＳチップセット１３６からの情報に加えて、またはその代わりに、ＷＴＲＵ１０２は、基地局（例えば、基地局１１４ａ、１１４ｂ）からエアインターフェース１１５／１１６／１１７を介して位置情報を受信するか、および／または２つ以上の近隣の基地局から受信される信号のタイミングに基づいてその位置を決定することができる。ＷＴＲＵ１０２は、実施形態と一致したまま、任意の適切な位置決定実装形態によって位置情報を取得することができることが理解されよう。
【００２７】
プロセッサ１１８は、さらなる特徴、機能、および／または有線もしくは無線接続性を提供する１つまたは複数のソフトウェアおよび／またはハードウェアモジュールを含むことができる他の周辺機器１３８にさらに結合され得る。例えば、周辺機器１３８は、加速度計、電子コンパス、衛星トランシーバ、デジタルカメラ（写真またはビデオ用）、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含むことができる。
【００２８】
図１Ｃは、一実施形態によるＲＡＮ１０３およびコアネットワーク１０６のシステム図である。上述のように、ＲＡＮ１０３は、エアインターフェース１１５を介してＷＴＲＵ１０２ａ、１０２ｂ、１０２ｃと通信するために、ＵＴＲＡ無線技術を採用することができる。ＲＡＮ１０３はまた、コアネットワーク１０６と通信することもできる。図１Ｃに示されるように、ＲＡＮ１０３は、エアインターフェース１１５を介してＷＴＲＵ１０２ａ、１０２ｂ、１０２ｃと通信するための１つまたは複数のトランシーバをそれぞれ含むことができるノードＢ１４０ａ、１４０ｂ、１４０ｃを含むことができる。ノードＢ１４０ａ、１４０ｂ、１４０ｃは、それぞれ、ＲＡＮ１０３内の特定のセル（図示せず）に関連付けられてもよい。ＲＡＮ１０３は、ＲＮＣ１４２ａ、１４２ｂも含むことができる。ＲＡＮ１０３は、実施形態と一致したまま、任意の数のノードＢおよびＲＮＣを含むことができることが理解されよう。
【００２９】
図１Ｃに示されるように、ノードＢ１４０ａ、１４０ｂは、ＲＮＣ１４２ａと通信することができる。さらに、ノードＢ１４０ｃは、ＲＮＣ１４２ｂと通信することができる。ノードＢ１４０ａ、１４０ｂ、１４０ｃは、Ｉｕｂインターフェースを介してそれぞれのＲＮＣ１４２ａ、１４２ｂと通信することができる。ＲＮＣ１４２ａ、１４２ｂは、Ｉｕｒインターフェースを介して互いに通信することができる。ＲＮＣ１４２ａ、１４２ｂの各々は、それが接続されているそれぞれのノードＢ１４０ａ、１４０ｂ、１４０ｃを制御するように構成され得る。さらに、ＲＮＣ１４２ａ、１４２ｂの各々は、外部ループ電力制御、負荷制御、許可制御、パケットスケジューリング、ハンドオーバ制御、マクロダイバーシティ、セキュリティ機能、データ暗号化などの他の機能を実行またはサポートするように構成され得る。
【００３０】
図１Ｃに示されるコアネットワーク１０６は、メディアゲートウェイ（ＭＧＷ）１４４、モバイル交換局（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。前述の要素の各々はコアネットワーク１０６の一部として示されているが、これらの要素のいずれか１つは、コアネットワークオペレータ以外のエンティティによって所有および／または動作され得ることが理解されよう。
【００３１】
ＲＡＮ１０３内のＲＮＣ１４２ａは、ＩｕＣＳインターフェースを介してコアネットワーク１０６内のＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、１０２ｃと従来の地上通信デバイスとの間の通信を容易にするために、ＷＴＲＵ１０２ａ、１０２ｂ、１０２ｃに、ＰＳＴＮ１０８などの回線交換ネットワークへのアクセスを提供することができる。
【００３２】
ＲＡＮ１０３内のＲＮＣ１４２ａは、ＩｕＰＳインターフェースを介してコアネットワーク１０６内のＳＧＳＮ１４８に接続されることもできる。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃとＩＰ対応デバイスとの間の通信を容易にするために、ＷＴＲＵ１０２ａ、１０２ｂ、１０２ｃにインターネット１１０などのパケット交換ネットワークへのアクセスを提供することができる。
【００３３】
上述したように、コアネットワーク１０６はまた、他のサービスプロバイダによって所有および／または動作される他の有線または無線ネットワークを含むことができるネットワーク１１２に接続され得る。
【００３４】
図１Ｄは、一実施形態によるＲＡＮ１０４およびコアネットワーク１０７のシステム図である。上述のように、ＲＡＮ１０４は、エアインターフェース１１６を介してＷＴＲＵ１０２ａ、１０２ｂ、１０２ｃと通信するために、Ｅ−ＵＴＲＡ無線技術を採用することができる。ＲＡＮ１０４はまた、コアネットワーク１０７と通信することもできる。
【００３５】
ＲＡＮ１０４はｅノードＢ１６０ａ、１６０ｂ、１６０ｃを含むことができるが、ＲＡＮ１０４は、実施形態と一致したまま、任意の数のｅノードＢを含むことができることが理解されよう。ｅノードＢ１６０ａ、１６０ｂ、１６０ｃは、エアインターフェース１１６を介してＷＴＲＵ１０２ａ、１０２ｂ、１０２ｃと通信するための１つまたは複数のトランシーバをそれぞれ含むことができる。いくつかの実施形態では、ｅノードＢ１６０ａ、１６０ｂ、１６０ｃは、ＭＩＭＯ技術を実装することができる。したがって、例えば、ｅノードＢ１６０ａは、ＷＴＲＵ１０２ａに無線信号を送信し、ＷＴＲＵ１０２ａから無線信号を受信するために複数のアンテナを使用することができる。
【００３６】
ｅノードＢ１６０ａ、１６０ｂ、１６０ｃの各々は、特定のセル（図示せず）に関連付けられることができ、無線リソース管理決定、ハンドオーバ決定、アップリンク（ＵＬ）および／またはダウンリンク（ＤＬ）におけるユーザのスケジューリングなどを処理するように構成され得る。図１Ｄに示されるように、ｅノードＢ１６０ａ、１６０ｂ、１６０ｃは、Ｘ２インターフェースを介して互いに通信することができる。
【００３７】
図１Ｄに示されるコアネットワーク１０７は、モビリティ管理ゲートウェイ（ＭＭＥ）１６２、サービングゲートウェイ１６４、およびパケットデータネットワーク（ＰＤＮ）ゲートウェイ１６６を含むことができる。前述の要素の各々はコアネットワーク１０７の一部として示されているが、これらの要素のいずれか１つは、コアネットワークオペレータ以外のエンティティによって所有および／または動作され得ることが理解されよう。
【００３８】
ＭＭＥ１６２は、Ｓ１インターフェースを介してＲＡＮ１０４内のｅノードＢ１６０ａ、１６０ｂ、１６０ｃの各々に接続されることができ、また制御ノードとして機能することができる。例えば、ＭＭＥ１６２は、ＷＴＲＵ１０２ａ、１０２ｂ、１０２ｃのユーザの認証、ベアラのアクティブ化／非アクティブ化、ＷＴＲＵ１０２ａ、１０２ｂ、１０２ｃの初期接続中の特定のサービングゲートウェイの選択などを担当することができる。ＭＭＥ１６２はまた、ＲＡＮ１０４と、ＧＳＭまたはＷＣＤＭＡなどの他の無線技術を採用する他のＲＡＮ（図示せず）との間で切り替えるための制御プレーン機能を提供することができる。
【００３９】
サービングゲートウェイ１６４は、Ｓ１インターフェースを介してＲＡＮ１０４内のｅノードＢ１６０ａ、１６０ｂ、１６０ｃの各々に接続され得る。サービングゲートウェイ１６４は、一般に、ユーザデータパケットをＷＴＲＵ１０２ａ、１０２ｂ、１０２ｃに／からルーティングおよび転送することができる。サービングゲートウェイ１６４はまた、ｅノードＢ間のハンドオーバ中にユーザプレーンをアンカリングすること、ＷＴＲＵ１０２ａ、１０２ｂ、１０２ｃのためのダウンリンクデータが利用可能であるときにページングをトリガすること、ＷＴＲＵ１０２ａ、１０２ｂ、１０２ｃのコンテキストを管理および記憶することなどの他の機能を実行することができる。
【００４０】
サービングゲートウェイ１６４はまた、ＷＴＲＵ１０２ａ、１０２ｂ、１０２ｃとＩＰ対応デバイスとの間の通信を容易にするために、ＷＴＲＵ１０２ａ、１０２ｂ、１０２ｃにインターネット１１０などのパケット交換ネットワークへのアクセスを提供することができるＰＤＮゲートウェイ１６６に接続され得る。
【００４１】
コアネットワーク１０７は、他のネットワークとの通信を容易にすることができる。例えば、コアネットワーク１０７は、ＷＴＲＵ１０２ａ、１０２ｂ、１０２ｃと従来の地上通信デバイスとの間の通信を容易にするために、ＷＴＲＵ１０２ａ、１０２ｂ、１０２ｃに、ＰＳＴＮ１０８などの回線交換ネットワークへのアクセスを提供することができる。例えば、コアネットワーク１０７は、コアネットワーク１０７とＰＳＴＮ１０８との間のインターフェースとして機能するＩＰゲートウェイ（例えば、ＩＰマルチメディアサブシステム（ＩＭＳ）サーバ）を含むか、またはそれと通信することができる。さらに、コアネットワーク１０７は、ＷＴＲＵ１０２ａ、１０２ｂ、１０２ｃに、他のサービスプロバイダによって所有および／または動作される他の有線または無線ネットワークを含むことができるネットワーク１１２へのアクセスを提供することができる。
【００４２】
図１Ｅは、一実施形態によるＲＡＮ１０５およびコアネットワーク１０９のシステム図である。ＲＡＮ１０５は、エアインターフェース１１７を介してＷＴＲＵ１０２ａ、１０２ｂ、１０２ｃと通信するためにＩＥＥＥ８０２．１６無線技術を採用するアクセスサービスネットワーク（ＡＳＮ）であってもよい。以下にさらに説明するように、ＷＴＲＵ１０２ａ、１０２ｂ、１０２ｃ、ＲＡＮ１０５、およびコアネットワーク１０９の異なる機能エンティティ間の通信リンクは、基準点として定義され得る。
【００４３】
図１Ｅに示されるように、ＲＡＮ１０５は、基地局１８０ａ、１８０ｂ、１８０ｃ、およびＡＳＮゲートウェイ１８２を含むことができるが、ＲＡＮ１０５は、実施形態と一致したまま、任意の数の基地局およびＡＳＮゲートウェイを含むことができることが理解されよう。基地局１８０ａ、１８０ｂ、１８０ｃは、それぞれがＲＡＮ１０５内の特定のセル（図示せず）に関連付けられることができ、エアインターフェース１１７を介してＷＴＲＵ１０２ａ、１０２ｂ、１０２ｃと通信するための１つまたは複数のトランシーバをそれぞれ含むことができる。いくつかの実施形態では、基地局１８０ａ、１８０ｂ、１８０ｃは、ＭＩＭＯ技術を実装することができる。したがって、例えば、基地局１８０ａは、ＷＴＲＵ１０２ａに無線信号を送信し、ＷＴＲＵ１０２ａから無線信号を受信するために複数のアンテナを使用することができる。基地局１８０ａ、１８０ｂ、１８０ｃはまた、ハンドオフトリガリング、トンネル確立、無線リソース管理、トラフィック分類、サービス品質（ＱｏＳ）ポリシー施行などのモビリティ管理機能を提供することができる。ＡＳＮゲートウェイ１８２は、トラフィックアグリゲーションポイントとして機能し、ページング、加入者プロファイルのキャッシング、コアネットワーク１０９へのルーティングなどを担当することができる。
【００４４】
ＷＴＲＵ１０２ａ、１０２ｂ、１０２ｃとＲＡＮ１０５との間のエアインターフェース１１７は、ＩＥＥＥ８０２．１６仕様を実装するＲ１基準点として定義され得る。さらに、ＷＴＲＵ１０２ａ、１０２ｂ、１０２ｃの各々は、コアネットワーク１０９との論理インターフェース（図示せず）を確立することができる。ＷＴＲＵ１０２ａ、１０２ｂ、１０２ｃとコアネットワーク１０９との間の論理インターフェースは、認証、認可、ＩＰホスト構成管理、および／またはモビリティ管理のために使用され得るＲ２基準点として定義され得る。
【００４５】
各基地局１８０ａ、１８０ｂ、１８０ｃの各々間の通信リンクは、ＷＴＲＵのハンドオーバおよび基地局間のデータの転送を容易にするためのプロトコルを含むＲ８基準点として定義され得る。基地局１８０ａ、１８０ｂ、１８０ｃとＡＳＮゲートウェイ１８２との間の通信リンクは、Ｒ６基準点として定義され得る。Ｒ６基準点は、ＷＴＲＵ１０２ａ、１０２ｂ、１０２ｃの各々に関連付けられるモビリティイベントに基づいてモビリティ管理を容易にするためのプロトコルを含むことができる。
【００４６】
図１Ｅに示されるように、ＲＡＮ１０５は、コアネットワーク１０９に接続され得る。ＲＡＮ１０５とコアネットワーク１０９との間の通信リンクは、例えば、データ転送およびモビリティ管理機能を容易にするためのプロトコルを含むＲ３基準点として定義され得る。コアネットワーク１０９は、モバイルＩＰホームエージェント（ＭＩＰ−ＨＡ）１８４、認証、認可、課金（ＡＡＡ）サーバ１８６、およびゲートウェイ１８８を含むことができる。前述の要素の各々はコアネットワーク１０９の一部として示されているが、これらの要素のいずれか１つは、コアネットワークオペレータ以外のエンティティによって所有および／または動作され得ることが理解されよう。
【００４７】
ＭＩＰ−ＨＡは、ＩＰアドレス管理を担当してもよく、ＷＴＲＵ１０２ａ、１０２ｂ、１０２ｃが異なるＡＳＮおよび／または異なるコアネットワーク間をローミングすることを可能にしてもよい。ＭＩＰ−ＨＡ１８４は、ＷＴＲＵ１０２ａ、１０２ｂ、１０２ｃとＩＰ対応デバイスとの間の通信を容易にするために、ＷＴＲＵ１０２ａ、１０２ｂ、１０２ｃにインターネット１１０などのパケット交換ネットワークへのアクセスを提供することができる。ＡＡＡサーバ１８６は、ユーザ認証およびユーザサービスをサポートすることを担当することができる。ゲートウェイ１８８は、他のネットワークとのインターワーキングを容易にすることができる。例えば、ゲートウェイ１８８は、ＷＴＲＵ１０２ａ、１０２ｂ、１０２ｃと従来の地上通信デバイスとの間の通信を容易にするために、ＷＴＲＵ１０２ａ、１０２ｂ、１０２ｃに、ＰＳＴＮ１０８などの回線交換ネットワークへのアクセスを提供することができる。さらに、ゲートウェイ１８８は、ＷＴＲＵ１０２ａ、１０２ｂ、１０２ｃに、他のサービスプロバイダによって所有および／または動作される他の有線または無線ネットワークを含むことができるネットワーク１１２へのアクセスを提供することができる。
【００４８】
図１Ｅには示されていないが、ＲＡＮ１０５は他のＡＳＮに接続されることができ、コアネットワーク１０９は他のコアネットワークに接続され得る。ＲＡＮ１０５と他のＡＳＮとの間の通信リンクは、ＲＡＮ１０５と他のＡＳＮとの間のＷＴＲＵ１０２ａ、１０２ｂ、１０２ｃのモビリティを調整するためのプロトコルを含むことができるＲ４基準点として定義され得る。コアネットワーク１０９と他のコアネットワークとの間の通信リンクは、ホームコアネットワークと訪問先コアネットワークとの間のインターワーキングを容易にするためのプロトコルを含むことができるＲ５基準として定義され得る。
【００４９】
セルラー技術のための新しいアプリケーションが出現し続けると、データレートが増加する可能性があり、遅延が減少する可能性があり、接続性が拡大する可能性がある。例えば、モバイル通信システム（例えば、５Ｇシステム）は、拡張モバイルブロードバンド（ｅＭＢＢ）通信、超高信頼および低遅延通信（ＵＲＬＬＣ）および大規模マシンタイプ通信（ｍＭＴＣ）をサポートすることができる。無線アクセス機能は、広範囲のアプリケーションおよび使用シナリオにわたって（例えば、優先度に関して）異なる場合がある。例えば、ｅＭＢＢアプリケーションおよび／または使用シナリオの設計上の考慮事項は、スペクトル効率、容量、ユーザデータレート（例えば、ピークおよび／または平均データレート）およびモビリティを含むことができる。ｍＭＴＣアプリケーションおよび使用シナリオの設計上の考慮事項は、接続密度を含むことができる。
【００５０】
１つまたは複数のアプリケーションおよび／または使用シナリオにおいて、多元接続（ＭＡ）技法が使用され得る。ＭＡ技法は、例えば、ｅＭＢＢアプリケーションおよび／または使用シナリオについて、スペクトル効率を改善することができる。ＭＡ技法は、多数の接続された端末をサポートすることができる。接続された端末は、短いデータバースト送信を使用してもよく、および／または複雑性の低いデバイス、低電力消費、および／または拡張されたカバレッジのために構成されてもよい。ＭＡ技法は、無線アクセスネットワークにおいて様々な目標を有する様々なアプリケーションをサポートするように設計され得る。
【００５１】
ある種の多元接続方式は、第１のユーザ信号（例えば、各ユーザ信号）が第２のユーザ信号を干渉することを防止する方法で、時間、周波数、および／または空間リソースを割り当てることができる。このタイプのアクセスは、直交多元接続（ＯＭＡ）と呼ばれることがある。ＯＭＡを用いて、異なるＷＴＲＵによる送信が直交リソース上で多重化され得る。多重化は、時間領域（ＴＤＭ）において、周波数領域（ＦＤＭ）において、または空間領域（ＳＤＭ）において実行され得る。
【００５２】
非直交多元接続方式（ＮＯＭＡ）は、非直交リソースをＷＴＲＵに割り振ることができる。ＮＯＭＡは、高いスペクトル効率および大規模な接続性などの無線通信の課題に対処するために実装され得る。ＮＯＭＡを用いると、複数のＷＴＲＵが電源領域内で多重化され得る。例えばＷＴＲＵのチャネル状態に応じて、異なる電力レベルが異なるＷＴＲＵに割り振られることができる。異なるＷＴＲＵ（例えば、異なる電力レベルを割り振られたＷＴＲＵ）は、（例えば、時間および／または周波数に関して）同じリソースを割り振られてもよく、それらのリソースを送信のために使用してもよい。受信機（例えば、基地局など）は、複数のＷＴＲＵ間の干渉を低減またはキャンセルするために連続的な干渉除去（ＳＩＣ）技法を利用するように構成され得る。
【００５３】
ＷＴＲＵにおける電力制御は、開ループ態様（例えば、開ループ構成要素）および／または閉ループ態様（例えば、閉ループ構成要素）を含むことができる。一例では、ＷＴＲＵは、送信電力を決定する（例えば、計算する）ために、経路損失値などの測定された値および／または決定された値を（例えば、開ループ構成要素の一部として）使用することができる。ＷＴＲＵは、送信電力を決定するために、ＷＴＲＵがそれで構成された、またはＷＴＲＵがそれを計算することが可能である１つまたは複数のパラメータを（例えば、開ループ構成要素の一部として）使用することができる。そのようなパラメータは、例えば、ＵＬ許可のサイズを含むことができる。ＷＴＲＵは、送信電力制御（ＴＰＣ）コマンドを（例えば、いつでもなど、動的に）受信することができる。ＴＰＣコマンドは、値および／またはオフセット（例えば、インクリメントまたはデクリメント）を含む（例えば、提供する）ことができる。ＷＴＲＵは、送信電力を決定するために、（例えば、閉ループ構成要素の一部として）ＴＰＣコマンド値および／またはＴＰＣコマンドオフセットの累積を使用することができる。前者の手法は、本明細書では絶対ＴＰＣと呼ばれてもよく、後者の手法は、本明細書ではＴＰＣ累積と呼ばれてもよい。
【００５４】
ＷＴＲＵは、信号またはチャネル（例えば、ＰＵＳＣＨまたはＰＵＣＣＨなどのＵＬチャネル）の送信電力を決定（例えば、計算）することができる。ＷＴＲＵは、信号またはチャネルのセット（例えば、ＰＵＳＣＨおよび／またはＰＵＣＣＨなどの複数のＵＬチャネル）の送信電力を決定することができる。ＷＴＲＵは、送信の時間期間、ＴＴＩ、サブフレーム、シンボルなどの、送信の一部のための送信電力を決定することができる。ＷＴＲＵは、ＷＴＲＵが時間期間ｎにおいて受信したＴＰＣコマンドを時間期間ｎ＋ｋにおいてＴＰＣアキュムレータに適用するように構成されてもよく、ここでｋはＴＴＩの整数倍であってもよい。例えば、ＷＴＲＵは、送信電力オフセットを含んだ時間期間ｎにおいてＴＰＣコマンドを受信した可能性がある。ＷＴＲＵは、（例えば、時間期間ｎ＋ｋにおいて）送信電力オフセットをＴＰＣアキュムレータに加算してもよく、ＴＰＣアキュムレータから送信電力オフセットを減算してもよい。
【００５５】
以下の式１は、チャネル電力Ｐｃｈａｎを計算する例を示す。  
Ｐｃｈａｎ＝Ｐｏｐｅｎｌｏｏｐ＋Ｐｃｌｏｓｅｄｌｏｏｐ  式１
示されているように、チャネル電力Ｐｃｈａｎは、開ループ構成要素Ｐｏｐｅｎｌｏｏｐおよび／または閉ループ構成要素Ｐｃｌｏｓｅｄｌｏｏｐを含むことができる。ＰｏｐｅｎｌｏｏｐとＰｃｌｏｓｅｄｌｏｏｐの両方が上の例の式に示されているが、ＰｏｐｅｎｌｏｏｐまたはＰｃｌｏｓｅｄｌｏｏｐのいずれかが計算から省略され得る点に留意されたい。
【００５６】
以下の式２は、キャリアまたは他のシステム構成要素ｃ，Ｐｃｈａｎ,cのチャネル電力を計算する例を示す。  
Ｐｃｈａｎ,c＝Ｐｏｐｅｎｌｏｏｐ，c＋Ｐｃｌｏｓｅｄｌｏｏｐ，c  式２
示されているように、キャリアまたはシステム構成要素ｃ，Ｐｃｈａｎ,cのチャネル電力は、開ループ構成要素Ｐｏｐｅｎｌｏｏｐ，cおよび／または閉ループ構成要素Ｐｃｌｏｓｅｄｌｏｏｐ，cを含むことができる。Ｐｏｐｅｎｌｏｏｐ，cとＰｃｌｏｓｅｄｌｏｏｐ，cの両方が上の例の式に示されているが、Ｐｏｐｅｎｌｏｏｐ，cまたはＰｃｌｏｓｅｄｌｏｏｐ，cのいずれかが計算から省略され得る点に留意されたい。
【００５７】
チャネルまたは構成要素の電力は、最大許容電力Ｐｃｍａｘ，ｃに制限され得る。例えば、ＷＴＲＵは、以下の式３に示されるように、Ｐｃｈａｎ,cをＰｃｍａｘ，ｃに制限するように構成され得る。  
Ｐｃｈａｎ,c＝ｍｉｎ［Ｐｃｍａｘ，ｃ，（Ｐｏｐｅｎｌｏｏｐ，c＋Ｐｃｌｏｓｅｄｌｏｏｐ,c）］  式３
示されているように、ＷＴＲＵは、チャネルまたは構成要素の電力Ｐｃｈａｎ,cが、最大許容電力Ｐｃｍａｘ，ｃ 又はＰｏｐｅｎｌｏｏｐ，c＋Ｐｃｌｏｓｅｄｌｏｏｐ，cによって表される計算された電力の貸与者（lessor）であると決定することができる。
【００５８】
式４は、キャリアｃ上のＰＵＳＣＨチャネルの電力を計算する例を示す。
【００５９】
【数１】
2019520728.tif 000003
【００６０】
示されているように、ｉは、サブフレームまたはＴＴＩなどの時間期間を表すことができる。時間期間ｉ中のキャリアｃ上のＰＵＳＣＨチャネルの電力は、最大許容電力ＰＣＭＡＸ,c（ｉ）または計算された電力の貸与者として決定され得る。最大許容電力は、（例えば、ネットワークによって）構成され得る。計算された電力は、以下の構成要素の１つまたは複数の合計として決定され得る。構成要素は、送信またはＭPUSCH,c(i)に対して許可されたリソースブロックの数に基づいて導出された値を含むことができる。例えば、そのような値は、１０*ｌｏｇ10（ＭPUSCH,c(i)）として計算され得る。構成要素は、受信機において所望のＳＮＲまたはＳＩＮＲに関連することができる１つまたは複数の値（例えば、シグナリングされる値）Ｐ0_PUSCH,cを含むことができる。１つまたは複数の値は、例えば、送信タイプｊの関数として決定され得る。構成要素は、経路損失、ＰＬC、およびシグナリングされるパラメータαcに基づいて決定される値を含むことができる。そのようなシグナリングされるパラメータαcは、送信ｊのタイプの関数として決定され得る。構成要素は、ＴＰＣ値または累積されたＴＰＣ値ｆc（ｉ）を含むことができる。構成要素は、ｄｅｌｔａTF,cを含むことができる（例えば、上位層シグナリングがｄｅｌｔａTF,cが含まれるべきであることを示す場合のみ）。ｄｅｌｔａTF,cは、例えば送信されたデータおよび／または制御ビットの数の関数として決定され得る。
【００６１】
ＷＴＲＵは、その計算された電力、またはそのチャネル（例えば、送信されるべきチャネル）の計算された電力の合計を、最大出力電力Ｐcmaxと比較することができる。ＷＴＲＵは、例えば、送信のために使用する電力を確定する前に比較を実行することができる。最大出力電力Ｐcmaxは、例えば、ＷＴＲＵの構成された最大電力であってもよい。最大出力電力Ｐcmaxは、例えば、許容される電力低減がより少ないＷＴＲＵの電力クラスに関連付けられる最大電力であってもよい。最大出力電力Ｐcmaxは、例えば、シグナリングされる最大電力とＷＴＲＵの電力クラスに関連付けられる最大電力のうちの小さい方であってもよい。電力低減は、例えば、送信される信号の関数として決定され得る。例えば、ＷＴＲＵがスペクトル放射および／または他の送信要件に違反するのを防ぐために、電力低減が使用され得る。
【００６２】
ＷＴＲＵは、その送信電力をＰcmaxに設定することができる。ＷＴＲＵは、例えば、計算された電力または決定された電力がＰcmaxを超える可能性がある場合に、その送信電力のためにＰcmaxを使用することができる。ＷＴＲＵは、Ｐcmaxを超えることを回避するために（例えば、１つまたは複数のチャネルに対して）その送信電力をスケーリングすることができる。そのようなスケーリングは、例えば、計算された電力または決定された電力がＰcmaxを超える可能性がある場合に適用され得る。ＷＴＲＵは、例えば、計算された電力または決定された電力がＰcmaxを超える可能性がある場合、Ｐcmaxを超えることを回避するために、チャネルをドロップする（例えば、チャネル上で送信しない）か、１つまたは複数のチャネルに対して送信電力をゼロに設定することができる。スケーリングまたはドロップされ得るチャネルは、１つまたは複数の優先度ルールに依存することができる。
【００６３】
ＭＭＴＣシステムの設計目標は、大規模な接続性（例えば、過負荷のリソース）、低電力消費、および／または拡張されたカバレッジを含むことができる。ＬＴＥにおいて使用されるＭＡ方式などのスケジューリングされた多元接続方式は、重大なシグナリングオーバーヘッドを有する可能性がある。例えば、ＷＴＲＵは、（例えば、ＤＬ同期を達成した後に）ランダムアクセス手順を実行することができ（例えば、そのＵＬタイミングアラインメントを訂正するために）、また、基地局によって許可が提供されたときにデータを送信することができる。これらの手順は、（例えば、制御情報送信のために）シグナリングオーバーヘッドを増加させる可能性があり、および／またはＷＴＲＵの電力を消費する可能性がある。
【００６４】
ＷＴＲＵは、タイミングアラインメントを確立することなしに、および／または許可を待つことなしに、送信するように構成され得る。しかしながら、そのような送信は、例えば、複数のＷＴＲＵが同時に送信する（例えば、同じリソースを使用する）ことができるため、受信機において多元接続干渉を作成する可能性がある。一例では、受信機および／またはＷＴＲＵは、干渉を低減し、および／またはＷＴＲＵによって送信されたデータを適切に復号するように構成され得る。
【００６５】
電力領域ＮＯＭＡが２つ以上のＷＴＲＵのセットに使用される場合などの、いくつかのシナリオでは、ＷＴＲＵ（例えば、近隣のＷＴＲＵ）のうちの少なくとも１つの送信電力の増加は、受信機が、同じリソースのセット上で重複している可能性がある送信を分離または区別することを可能にする。送信を区別するために、ＴＰＣ累積は効率的な手法である場合もあり、そうでない場合もある。例えば、ＮＯＭＡが第１の送信のために使用され、第２の送信（例えば、第１の送信に続く送信）のためには使用されない場合、送信電力は、第１の送信では大幅に増加され、第２の送信では同じ量だけ減少される可能性がある。第１の送信のための許可を失い、第２の送信のための許可を受信するＷＴＲＵは、ＴＰＣアキュムレータの値を最初に増加させることなしに、その値を減少させることができる。このように、第２の送信のための送信電力は許容できないほど低くなる場合がある。絶対ＴＰＣ（例えば、ＴＰＣ累積の代わりにＴＰＣ値を使用する）は、送信を区別するために効率的である場合もあり、そうではない場合もある。例えば、絶対ＴＰＣは、多数のビットが使用されない限り、送信電力を微調整するＷＴＲＵの機能を干渉することがある。
【００６６】
ネットワークおよび／またはＷＴＲＵは、ハイブリッド多元接続を使用するように構成され得る。ネットワークおよび／またはＷＴＲＵは、同じまたは異なるＷＴＲＵから発生することができるデータストリームを分離するために、電力割振り、拡散、および／またはスクランブル技法の組合せを使用するように構成され得る。拡散および／またはスクランブリングは、データビットが、サブキャリアなどの複数のリソースを介して送信されることを可能にする。例えば、データビットは、シーケンスによって乗算される前に、１つまたは複数の変調シンボル（例えば、１つまたは複数のＱＡＭシンボル）に変換され得る。結果（例えば、結果として得られる係数）は、時間／周波数リソース上で送信され得る。一例では、データビットは、シーケンスまたはコードワードにマッピング（例えば、直接マッピング）されることができ、次に周波数リソース（例えば、サブキャリア）にマッピングされ得る。
【００６７】
異なるＷＴＲＵは、異なる送信電力（例えば、高電力または低電力）を使用してデータを送信するように構成され得る。ＷＴＲＵは、例えば、受信機が異なるＷＴＲＵにおいて発生するデータ送信を分離または区別することを可能にするために、電力割振り、スクランブリング、および／または拡散技法（例えば、シーケンス割振りなど）の組合せを使用することができる。
【００６８】
ＷＴＲＵの複数のグループは、共通の受信機に送信することができる。そのような各グループは、１つまたは複数のＷＴＲＵを含むことができる。第１のグループにおけるＷＴＲＵは、ＷＴＲＵからの受信電力が第２のグループにおけるＷＴＲＵからの受信電力よりも高くても低くてもよいように、それぞれの送信電力を調整するように構成され得る。受信機（例えば、基地局）は、ＷＴＲＵのそれらのグループの受信電力間の差に基づいて、異なるグループのＷＴＲＵを分離するように構成され得る。受信機は、同じグループ内の異なるＷＴＲＵからデータを分離するようにさらに構成され得る。例えば、受信機は、拡散および／またはインターリーブ（例えば、ＷＴＲＵ特有のインターリーブパターンによるチャネル符号化データのインターリーブ）などの技法を使用して、異なるＷＴＲＵからデータを分離することができる。
【００６９】
説明するために、ＷＴＲＵの第１のグループは、第１のＷＴＲＵと呼ばれる単一のＷＴＲＵを含むことができる。第１のＷＴＲＵは、意図された受信機に送信している可能性がある。第１のＷＴＲＵからの受信電力はＰ０として指定され得る。ＷＴＲＵの第２のグループまたはＷＴＲＵのセットは、１つまたは複数のＷＴＲＵを含むことができ、１つまたは複数のＷＴＲＵは、第１のＷＴＲＵと同じまたは部分的に重複するリソース（例えば、サブキャリア）上で送信している可能性がある。ＷＴＲＵの第２のセットからの受信電力は、Ｐ１として指定され得る。Ｐ１はＰ０よりも低くても高くてもよい。このように、受信機は、例えばＷＴＲＵの第２のセットと第１のＷＴＲＵとの間の受信電力差に基づいて、第１のＷＴＲＵによる送信からＷＴＲＵの第２のセットによる送信を区別することができる。ＷＴＲＵ（例えば、第１のＷＴＲＵ、および／またはＷＴＲＵの第２のセット）は、例えば、Ｐ０とＰ１との間の差が小さい（例えば、しきい値未満である）場合に、低い符号化率および／または低い変調次数を使用することができる。受信機は、例えば、拡散および／またはインターリーブを介して、ＷＴＲＵの第２のセット間の送信をさらに区別することができる。拡散シーケンスおよび／またはインターリーブパターンは、第２のセット内のＷＴＲＵごとに異なっていてもよい。
【００７０】
第１のＷＴＲＵからの送信信号は、例えば、以下の式５に従って記述され得る。
【００７１】
【数２】
2019520728.tif 000004
【００７２】
示されているように、ｄは、Ｍ×１のサイズを有するデータベクトルを表すことができる。ＦMは、Ｍ×Ｍ（例えば、正規化された）ＤＦＴ行列を表すことができる。Ｂ1は、ＤＦＴ行列の出力を割り振られたサブキャリアにマッピングするＮ×Ｍ個のサブキャリアマッピング行列を表すことができる。
【００７３】
【数３】
2019520728.tif 000005
【００７４】
は、Ｎ×ＮのＤＦＴ行列のエルミート行列を表すことができる。Ｐ０は電力割振り行列を表すことができ、Ｄはサイクリックプレフィックス加算行列を表すことができる。式５における例は、送信のためのＤＦＴ−ｓ−ＯＦＤＭ波形の使用を仮定することができるが、信号を送信するために、ＯＦＤＭ、ゼロテールＤＦＴ−ｓ−ＯＦＤＭ、および／またはユニークワードＤＦＴ−ｓ−ＯＦＤＭ波形などの他の波形も使用され得る。異なる波形が使用される場合、送信される信号は異なるフォーマットで書き込まれることができる。例えば、ＯＦＤＭ波形が使用される場合、ＤＦＴ行列ＦMが省略され得る。
【００７５】
第２のセットにおけるＷＴＲＵのうちの１つ（例えば、ＷＴＲＵ  ｋ）からの送信信号は、例えば、以下の式６に従って記述され得る。
【００７６】
【数４】
2019520728.tif 000006
【００７７】
示されているように、Ｃkは拡散／スクランブリング行列を表すことができる。Ｐ1kは、電力割振り行列を表すことができる。Ｂkは、ＤＦＴ行列の出力を割り振られたサブキャリアにマッピングするＮ×Ｋサブキャリアマッピング行列を表すことができる。
【００７８】
【数５】
2019520728.tif 000007
【００７９】
は、Ｎ×ＮのＤＦＴ行列のエルミート行列を表すことができ、Ｄは、サイクリックプレフィックス加算行列を表すことができる。ＦｋおよびＣｋは、単一のＤＦＴ行列に結合され得る。
【００８０】
【数６】
2019520728.tif 000008
【００８１】
は、Ｎ×ＮのＤＦＴ行列のエルミート行列を表すことができ、Ｄは、サイクリックプレフィックス加算行列を表すことができる。式６における例は、送信のためのＤＦＴ−ｓ−ＯＦＤＭ波形の使用を仮定するが、信号を送信するために、ＯＦＤＭ、ゼロテールＤＦＴ−ｓ−ＯＦＤＭ、および／またはユニークワードＤＦＴ−ｓ−ＯＦＤＭ波形などの他の波形も使用され得る。さらに、他の拡散技法が使用されることができ、拡散動作は、線形行列乗算として書き込まれてもよく、書き込まれなくてもよい。
【００８２】
より高電力のＷＴＲＵ（例えば、上述の第１のＷＴＲＵ）および低電力ＷＴＲＵ（例えば、ＷＴＲＵ  ｋなどの、上述のＷＴＲＵの第２のセット内のＷＴＲＵ）から送信された信号は、無線で結合されてもよく、受信機（例えば、基地局）によって受信されてもよい。受信機は、異なるＷＴＲＵによって送信された信号を検出するように構成されたマルチユーザ検出ベースの受信機であってもよい。例えば、受信機は、最初により高電力のＷＴＲＵからの信号を復号し、受信信号からより高電力の信号を減算することができる。次いで、受信機は、例えば、１つまたは複数の逆拡散技法を使用することによって、低電力ＷＴＲＵからの信号を検出（例えば、識別）し、逆拡散信号を処理することができる。
【００８３】
上述の第１のＷＴＲＵグループは、第１のＷＴＲＵに加えて、１つまたは複数の他の高電力ＷＴＲＵを含むことができる。第１グループ内の複数の高電力ＷＴＲＵは、同時にデータを送信することができる。これらのＷＴＲＵは、信号検出能力を向上させるために、異なる拡散シーケンスおよび／またはインターリーブパターンを使用することができる。ＷＴＲＵの２つ以上のグループは、拡散および／またはインターリーブ後にデータを送信することができる。ＷＴＲＵの２つ以上のグループは、例えば直接的に、またはＤＦＴブロックなどの中間ブロックを通過した後に、拡散および／またはインターリーブされたデータをサブキャリアにマッピングすることができる。ＷＴＲＵの異なるグループは、異なるレベルの送信電力、符号化レベル、および／または変調レベルを使用することができる。グループによる送信は、例えば、１つまたは複数の送信パラメータに基づいて分離され得る。グループ内の異なるＷＴＲＵによる送信は、例えば、拡散シーケンスおよび／またはインターリーブパターンなどの分離特性に基づいて分離され得る。
【００８４】
図２は、ＵＬ  ＮＯＭＡのユーザグルーピングおよび連続的なキャンセルの例を示す図である。図２は、３つのＷＴＲＵを有するセルを含む例を示しているが、この例は、より多くのまたはより少ないＷＴＲＵを含むような他のケースに拡張され得る。一例では、グループ｛ＷＴＲＵ１、ＷＴＲＵ２｝は、ＵＬ  ＮＯＭＡ動作のためにＷＴＲＵ３とペアにされ得る。一例では、ＷＴＲＵ３は、グループ｛ＷＴＲＵ１、ＷＴＲＵ２｝の集約された電力よりも大きな電力オフセットを有することができる。以下のうちの１つまたは複数が、例えば、図２に関して適用することができるか、および／または実行され得る。
【００８５】
潜在的にＵＬ  ＮＯＭＡを利用することができるＷＴＲＵ１、ＷＴＲＵ２、および／またはＷＴＲＵ３は、チャネル状態情報（ＣＳＩ）および／または電力ヘッドルームなどのそれらの動作情報の少なくとも一部をネットワークに報告するように構成され得る。報告された情報は、例えば、ＷＴＲＵをグループ化するために使用され得る。ＷＴＲＵ１およびＷＴＲＵ２は、ＭＵ−ＭＩＭＯ送信モードで動作するように構成され得る。ＷＴＲＵ１およびＷＴＲＵ２は、例えば層分離および復調のために、ＵＬ復調基準信号（ＤＭＲＳ）の共通のセットを使用するように構成され得る。ＷＴＲＵ３は、ＵＬ  ＮＯＭＡを使用するように、および／または電力オフセットを維持して適用するように構成され得る。
【００８６】
基地局は、ＷＴＲＵ１、ＷＴＲＵ２、およびＷＴＲＵ３から、それぞれＵＬ信号ｙ１、ｙ２、ｙ３を受信することができる。基地局は、（例えば、｛ＷＴＲＵ１，ＷＴＲＵ２｝のペアからの信号ｙ１および／またはｙ２を雑音として処理することによって）ｙ１および／またはｙ２に先行して、ＷＴＲＵ３からのＵＬ信号ｙ３を復調および復号しようとすることができる。基地局は、送信された信号ｙ１、ｙ２を導出する（例えば、生じさせる）ために、集約された受信信号からｙ３を再生および／または分離することができる。基地局は、ｙ２からｙ１を分離するために、導出された信号ｙ１、ｙ２に対するマルチユーザ検出を実行することができる。
【００８７】
ＷＴＲＵは、高電力送信および低電力送信を実行することができる。ＷＴＲＵは、２つ以上のデータのストリームを送信することができる。ＷＴＲＵは、２つ以上のデータストリームに様々なレベルの電力を割り振ることができる。単一のＷＴＲＵから送信される信号は、例えば、以下の式７に従って記述され得る。
【００８８】
【数７】
2019520728.tif 000009
【００８９】
示されているように、ｄhは高電力で送信されるデータを表すことができ、ｄlは低電力で送信されるデータを表すことができる。ＷＴＲＵは、電力レベルごとに１つまたは複数のデータストリームを送信するように構成され得る。ＷＴＲＵは、拡散シーケンスを使用してデータストリームを拡散することができる。ＷＴＲＵは、異なる符号化率でデータストリームをチャネル符号化することができる。ＷＴＲＵは、異なるインターリーブパターンで符号化ビットをインターリーブすることができる。
【００９０】
スケジューリングされたシステムの例では、中央コントローラ（例えば、基地局）は、送信電力レベル、符号化および変調レベル、拡散シーケンス、および／またはインターリーブパターンなどの１つまたは複数の送信パラメータをＷＴＲＵに示すように構成され得る。中央コントローラは、例えば、制御チャネル内の送信パラメータを示すことができる。追加的または代替的に、中央コントローラは、ＷＴＲＵとの初期接続を確立するときなどに、半静的に送信パラメータでＷＴＲＵを構成することができる。許可不要および／または競合ベースの送信方式の例では、ＷＴＲＵは、上述の送信パラメータの１つまたは複数を自律的に（例えば、中央コントローラによるシグナリングまたは構成なしに）選択するように構成され得る。上述の方式のうちの１つまたは複数において、ＷＴＲＵは、特定の送信において使用するために送信パラメータの全てまたはサブセットを選択することができる。
【００９１】
グループ内のＷＴＲＵからの送信は、例えば、ＷＴＲＵごとに異なるインターリーブパターンを利用することによって分離され得る。ＷＴＲＵは、例えば、それらの情報ビットがチャネル符号器（例えば、ターボ符号化ブロックなど）によって符号化された後に、情報ビットをパンクチャおよび／またはインターリーブすることができる。パンクチャおよび／またはインターリーブパターンは、例えば中央コントローラによって制御されてもよく、または他の送信パラメータによって暗示的に示されてもよい。
【００９２】
図３は、ＵＬ  ＮＯＭＡに対する干渉アラインメントのためのユーザグルーピングの例である。この例は、ＵＬ  ＮＯＭＡ動作のための２つのＷＴＲＵペアを含む。他の例および実装形態は、同じまたは異なる数のグループおよび／または構成を有することができる。第１のＮＯＭＡ  ＷＴＲＵペアは、基地局によって（例えば、直接的に）によってサービスされ得る｛ＷＴＲＵ１、ＷＴＲＵ２｝を含むことができる。第２のＮＯＭＡ  ＷＴＲＵペアは、リモート無線ヘッド（ＲＲＨ）によってサービスされ得る｛ＷＴＲＵ３、ＷＴＲＵ４｝を含むことができる。例示的な構成では、より高い電力オフセットを有するＷＴＲＵが各ペアにおいて識別され得る。以下のうちの１つまたは複数が、例えば、図３に関して適用することができるか、および／または実行され得る。
【００９３】
潜在的にＵＬ  ＮＯＭＡを使用することができるＷＴＲＵ１〜ＷＴＲＵ４は、チャネル状態情報（ＣＳＩ）および電力ヘッドルームなどのそれらの動作情報の少なくとも一部をネットワークに報告するように構成され得る。報告された情報は、例えば、ＷＴＲＵをグループ化するために使用され得る。ＷＴＲＵペア｛ＷＴＲＵ１、ＷＴＲＵ２｝および｛ＷＴＲＵ３、ＷＴＲＵ４｝は、電力オフセットを維持するように構成され得る。基地局およびＲＲＨは、例えば、それぞれの非サービングＵＬ  ＮＯＭＡグループに対応するチャネル上で受信された集約信号を測定することによって、干渉測定を実行することができる。例えば、基地局は、ＮＯＭＡペア２｛ＷＴＲＵ３、ＷＴＲＵ４｝から集約信号ＨCi_2を測定することができ、ＲＲＨは、ＮＯＭＡペア１｛ＷＴＲＵ１、ＷＴＲＵ２｝からの集約信号ＨCi_1を測定することができる。
【００９４】
基地局およびＲＲＨは、測定された干渉チャネルおよび／またはそれらの量子化されたバージョンを対向するＮＯＭＡ  ＷＴＲＵペアに通信することができる。例えば、ＨCi_2はＮＯＭＡペア２｛ＷＴＲＵ３、ＷＴＲＵ４｝に折り返し報告されることができ、ＨCi_1はＮＯＭＡペア１｛ＷＴＲＵ１、ＷＴＲＵ２｝に報告され得る。基地局およびＲＲＨは、ＣＳＩおよび／またはチャネル方向情報（ＣＤＩ）を測定することができ、また、その情報をＷＴＲＵに通信することができる。干渉ＣＳＩ／ＣＤＩを受信すると、ＷＴＲＵはＵＬプリコーディングを実行することができる。そのようなＵＬプリコーディングは、報告された干渉ＣＳＩ／ＣＤＩの方向に整列されるべきＷＴＲＵのビーム内のヌルスペースを引き起こす場合がある。
【００９５】
基地局およびＲＲＨは、例えば、ＷＴＲＵからのＵＬ信号を受信すると、ビーム形成を実行することができる。そのようなビーム形成は、ＷＴＲＵの各ペアにおけるＮＯＭＡ復号中に発生する場合があるクロスペア干渉および／または連続的な干渉を低減することができる。本明細書で説明される動作は、２つの独立したセル間のＵＬ  ＮＯＭＡに関連付けられる干渉を低減することができる。
【００９６】
ＷＴＲＵは、非同期および／または許可不要ＵＬ多元接続を実行するように構成され得る。ＷＴＲＵは、アップリンク許可なしに（例えば、ｅＮＢ、非ｅＮＢ受信機などへ）信号を送信することができる。そのような送信は、本明細書では、許可不要送信と呼ばれ得る。複数のＷＴＲＵによる許可不要送信は、正確なアップリンクタイミングおよび／または同期を有さないことがある。例えば、複数のＷＴＲＵによる許可不要送信は、関連するタイミングオフセットと非同期的にｅＮＢまたは非ｅＮＢ受信機に到達することがある。
【００９７】
図４は、異なるＷＴＲＵ間のタイミングオフセットを有する非同期送信の例である。この例は、３つの異なるＷＴＲＵ、Ｗ１、Ｗ２、Ｗ３から受信機に到達するときのシンボルＳ１、Ｓ２、Ｓ３のタイミングを示す。シンボルＳ１、Ｓ２、Ｓ３は、マルチキャリア波形（例えば、ＯＦＤＭ）の出力および／またはシングルキャリア波形であってもよい。シンボルＳ１、Ｓ２、Ｓ３は、同じまたは異なる持続時間を有することができ、また、異なる時間に（例えば、同じまたは異なるタイミングオフセットで）受信機に到達することができる。
【００９８】
例えば、異なるＷＴＲＵからの送信が非同期である場合、自己完結型送信が使用され得る。自己完結型送信は、データを正確に識別し復号するための情報（例えば、必要な全ての情報）を含むことができる。受信機は、たとえＷＴＲＵからの信号が非同期的に到達する可能性があっても、１つまたは複数のＷＴＲＵのタイミングを決定（例えば、取得）することができる。受信機におけるそのようなタイミング決定（例えば、タイミング取得）は、例えば、組込み決定論的シーケンスを有する波形を使用することによって可能にされ得る。そのような決定論的シーケンスの例は、ユニークワード（ＵＷ）ＤＦＴ−ｓ−ＯＦＤＭまたはＵＷを伴うシングルキャリア波形を含むことができる。ＵＷは、送信機と受信機との間の知られている信号と呼ばれ得る。ＵＷを送信するために、様々な技法が採用され得る。例えば、ＵＷ  ＤＦＴ−ｓ−ＯＦＤＭが使用される場合、ＵＷはＤＦＴブロックに挿入され、ＩＦＦＴブロック後の時間領域信号に加えられ、および／または代替技法によって生成され得る。別の例として、シングルキャリア波形が使用される場合、データシンボルのグループの間にＵＷが挿入され得る。ＵＷは、特定の時間／周波数リソース上で送信され得る。例えば、ＯＦＤＭ波形では、ＵＷの送信のために１つまたは複数のＯＦＤＭシンボルが割り振られることができる。
【００９９】
以下のうちの１つまたは複数をＵＷに適用することができる。ＵＷは、Ｚａｄｏｆｆ−Ｃｈｕシーケンス、ｍシーケンス、ゴールドシーケンスなどのシーケンスを含むことができる。シーケンスインデックス、シーケンス長、および／または送信電力レベルを含むＵＷのパラメータは、以下のうちの１つまたは複数に基づいて決定され得る。パラメータは、事前定義または事前決定に基づいて決定され得る。パラメータは、上位層シグナリングに基づいて決定され得る。パラメータは、動的指示に基づいて決定され得る。パラメータは、サブフレーム番号に基づいて決定され得る。パラメータは、無線フレーム番号に基づいて決定され得る。パラメータは、ＷＴＲＵ  ＩＤに基づいて（例えば、Ｃ−ＲＮＴＩに基づいて）決定され得る。パラメータは、セルＩＤに基づいて（例えば、物理セルＩＤまたは仮想セルＩＤに基づいて）決定され得る。パラメータは、関連する信号の時間および／または周波数位置に基づいて決定され得る。パラメータは、関連するＷＴＲＵのカバレッジレベルに基づいて決定され得る。ＵＷは、変調シンボルの時間サンプルの一部を含むことができる。例えば、ＵＷは、変調シンボルの最後の部分および／または第１の部分に関連付けられることができる。ＵＷは、知られている情報とともに１つまたは複数の変調データシンボルのセットを含むことができる。ＵＷはゼロ信号を含むことができる。ヌル信号またはゼロ電力信号が送信されるとき、ＵＷは信号を含まなくてもよい。ＵＷは、使用されるサブキャリアのセットを含むことができる。
【０１００】
ＷＴＲＵは、ＷＴＲＵ特定シーケンスまたはグループ特定シーケンスとしてＵＷを選択するように構成され得る。ＷＴＲＵは、例えば、ＷＴＲＵが複数のＷＴＲＵを含むグループに属する場合に、グループ特定シーケンスとしてＵＷを選択するように構成され得る。同じグループに関連付けられる複数のＷＴＲＵは、同じＵＷを使用することができる。１つまたは複数のＷＴＲＵに関連付けられる受信機は、受信信号を、送信中にＷＴＲＵによって使用された可能性がある１つまたは複数の（例えば、全ての）可能なＵＷと相関させることができる。受信機は、相関を通じて、１つまたは複数のシンボルのタイミング境界を見つけることができる。受信機は、相関を通じて、受信信号を送信したＷＴＲＵ、および／またはＷＴＲＵが属するグループを識別することができる。
【０１０１】
ＷＴＲＵまたはＷＴＲＵのセットは、長いＵＷまたは短いＵＷとともに送信を開始することができる。ＵＷ長は、（例えば、ネットワークまたは中央コントローラによって）調整され得る。ネットワークは、例えば、アップリンクデータおよび／または基準信号送信に基づくことができる測定値を利用することによって、アップリンク受信のタイミングを推定することができる。ネットワークは、（例えば、測定値に基づいて）ＵＷの長さが変更されるべきかどうかを決定することができる。ネットワークは、決定を（例えば、明示的に）ＷＴＲＵまたはＷＴＲＵのセットにシグナリングすることができる。シグナリングは、時折（例えば、比較的まれに）であってもよく、および／または関連するＷＴＲＵ（例えば、ｅＭＢＢ、クリティカルなＭＴＣまたはｃＭＴＣ、ｍＭＴＣなど）によって実行される機能のタイプに依存してもよい。
【０１０２】
例えば、ｍＭＴＣに関与する低電力、低複雑性のＷＴＲＵの設計上の考慮事項は、複雑性を低減すること、および／または電力消費を最小限に抑えることを含むことができる。このように、それらのシナリオにおいては、ＵＷ長に関してより粗いレベルの粒度を使用することで十分であってよく、ＵＷ更新は明示的にシグナリングされてもよく、されなくてもよい。
【０１０３】
例えば、ｃＭＴＣに関与するＷＴＲＵは、ＵＷ長に対してより細かいレベルの粒度を使用することができる。それらのＷＴＲＵの場合、ネットワークは、例えばＬ１／Ｌ２制御シグナリングを通じて、ＵＷの長さを（例えば、動的に）再構成することができる。ネットワークは、本明細書で説明されるように、１つまたは複数の測定値に基づいて再構成を実行することができる。
【０１０４】
ＷＴＲＵは、使用されるアップリンクリソースに基づいてＵＷを決定することができる。例えば、ＵＷのセットが予約され得る。ＷＴＲＵは、アップリンク送信のために使用されるアップリンク時間／周波数リソースを示すために、予約されたＵＷからＵＷを選択することができる。ＷＴＲＵは、非同期アップリンク送信のために選択されたアップリンク時間／周波数リソースに基づいて選択を行うことができる。
【０１０５】
予約されたＵＷのセットにおける第１のＵＷは、サブフレーム内の第１のアップリンクリソースに関連付けられることができる。第１のアップリンクリソースは、例えば、サブフレーム内の第１のＰＲＢであってもよい。予約されたＵＷのセット内の第２のＵＷは、サブフレーム内の第２のアップリンクリソースと関連付けられることができる。第２のアップリンクリソースは、例えば、サブフレーム内の第２のＰＲＢであってもよい。予約されたＵＷのセット内のＵＷの数は、非同期アップリンク送信のために使用されるシステム帯域幅および／またはアップリンクリソースに基づいて決定され得る。ＵＷの長さは、アップリンクリソース候補の数に基づいて決定され得る。
【０１０６】
ＷＴＲＵは、１つまたは複数のＵＷのセットを使用するように構成され得る。ＷＴＲＵは、使用されるＰＲＢの数に基づいて使用するためのＵＷのセットを決定することができる。ＵＷのセット内のＵＷは、使用される１つまたは複数のＰＲＢを示す（例えば、それに関連付けられる）ことができる。例えば、ＵＷの第１のセットは、１つのＰＲＢを使用するアップリンク送信のために使用されることができ、第１のセット内のＵＷは、どのＰＲＢがアップリンク送信のために使用されるかを示すことができる。ＵＷの第２のセットは、Ｎ個（例えば、Ｎ＞１）のＰＲＢを使用するアップリンク送信のために使用されることができ、第２のセット内のＵＷは、システム帯域幅内のどのＮ個のＰＲＢがアップリンク送信のために使用されるかを示すことができる。以下のうちの１つまたは複数を適用することができる。ＷＴＲＵは、ＰＲＢに関してアップリンクリソース候補の数に基づいて、ＷＴＲＵが使用することができるＵＷのセットの数を決定することができる。例えば、アップリンク送信のためのアップリンクリソース候補が１個、２個、および４個のＰＲＢを含む場合、ＵＷの３つのセットが使用され得る。ＷＴＲＵは、使用される基本シーケンスに基づいて、ＵＷのセットを決定することができる。ＷＴＲＵは、基本シーケンスの巡回シフトに基づいて、ＵＷのセット内のＵＷをさらに決定（例えば、区別）することができる。
【０１０７】
ＷＴＲＵは、アップリンク送信において送信されたトランスポートブロックサイズおよび／または変調次数に基づいてＵＷを決定することができる。例えば、１つまたは複数のトランスポートブロックサイズおよび／または変調次数のセットは、アップリンク送信のためのリソース候補として使用されることができ、ＷＴＲＵは、１つまたは複数のトランスポートブロックサイズおよび／または変調次数のセットの関数としてＵＷを決定することができる。追加的または代替的に、アップリンク送信のための１つまたは複数のＰＲＢが、あらかじめ定められるか、または構成されることができ、ＷＴＲＵは、１つまたは複数のＰＲＢに基づいて、アップリンク送信のためのトランスポートブロックサイズおよび／または変調次数を決定することができる。ＷＴＲＵは、ＵＷを介して、決定されたトランスポートブロックサイズおよび／または変調次数を示すことができる。追加的または代替的に、ＷＴＲＵは、アップリンク送信において使用されるＰＲＢリソース、トランスポートブロックサイズ、および変調次数に基づいてＵＷを決定することができる。
【０１０８】
ＷＴＲＵは、１つまたは複数のタイプのＵＷを使用するように構成され得る。例えば、ＷＴＲＵは、あらかじめ定められたシーケンスに基づく第１のタイプのＵＷ、およびヌル信号（例えば、ゼロ電力信号）に基づく第２のタイプのＵＷを使用することができる。ＵＷタイプは、以下のうちの１つまたは複数を含むことができる。ＵＷタイプは、シーケンス（例えば、あらかじめ定められたシーケンス）を含むことができる。ＵＷタイプは、基準信号シーケンスを含むことができる。ＵＷタイプはヌル信号（例えば、ゼロ電力信号）を含むことができる。ＵＷタイプは、変調シンボル（例えば、ＯＦＤＭシンボルまたはＤＦＴ−ｓ−ＯＦＤＭシンボル）の一部を含むことができる。ＵＷタイプは、使用されるサブキャリアのセットを含むことができる。
【０１０９】
ＵＷタイプは、アップリンク送信方式に基づいて決定され得る。例えば、第１のＵＷタイプは第１のアップリンク送信方式のために使用されることができ、第２のＵＷタイプは第２のアップリンク送信方式のために使用され得る。送信方式は、以下の１つまたは複数に基づいて決定され得る。送信方式は、送信が同期型であるか非同期型であるかどうかに基づいて決定され得る。送信方式は、送信が許可ベースであるか許可不要であるかどうかに基づいて決定され得る。送信方式は、送信のために使用される変調方式（例えば、ＯＦＤＭ、ＤＦＴ−ｓ−ＯＦＤＭなど）に基づいて決定され得る。送信方式は、送信のために使用される多元接続方式（例えば、ＦＤＭ、ＣＤＭなど）に基づいて決定され得る。
【０１１０】
例では、第１のＵＷタイプ（例えば、シーケンスベースのＵＷ）は、アップリンク許可不要送信のために使用されることができ、第２のＵＷタイプ（例えば、ヌル信号ベースのＵＷ）はアップリンク許可ベースの送信のために使用され得る。ＷＴＲＵは、使用されるアップリンク基準信号に基づいて、アップリンク送信のためのＵＷを決定することができる。例えば、ＷＴＲＵは、１つまたは複数のアップリンク基準信号シーケンスのセットをアップリンクリソース候補として使用するように構成され得る。ＷＴＲＵは、アップリンク送信のためにアップリンク基準信号シーケンスのセットのうちの１つまたは複数を選択することができる。ＷＴＲＵは、使用されるアップリンク基準信号シーケンスに基づいてＵＷを決定することができる。ＷＴＲＵは、ＵＷを介して、使用されるアップリンク基準信号シーケンスを示すことができる。ｅＮＢなどの受信機は、ＵＷを検出することができる。受信機は、検出されたＵＷに基づいて使用される１つまたは複数のアップリンク基準信号シーケンスを決定することができる。そのような決定は、受信機がアップリンク送信を復調するのを助けることができる。
【０１１１】
ＷＴＲＵは、ＷＴＲＵのカバレッジレベルに基づいて、アップリンク送信のための時間／周波数リソースを決定することができる。例えば、１つまたは複数の時間／周波数リソースのセットは、非同期アップリンク送信などのアップリンク送信のために構成されてもよく、ＷＴＲＵは、ＷＴＲＵのカバレッジレベルに基づいて、アップリンク送信のためにどの構成された時間／周波数リソースを使用するかを決定することができる。以下のうちの１つまたは複数を適用することができる。ＷＴＲＵは、測定された基準信号受信電力（ＲＳＲＰ）などのダウンリンク測定値に基づいてカバレッジレベルを決定することができる。ＷＴＲＵは、カバレッジレベルに基づいて周波数リソースに関連付けられるＰＲＢの数をさらに決定することができる。例えば、ＷＴＲＵは、第１のカバレッジレベル（例えば、ＲＳＲＰ≦Ｘ［ｄＢ」）の周波数リソースがＮ１個のＰＲＢを含むことができると決定することができる。ＷＴＲＵは、第２のカバレッジレベル（例えば、Ｘ＜ＲＳＲＰ≦Ｙ）の周波数リソースがＮ２個のＰＲＢを含むことができると決定することができ、Ｎ２はＮ１より大きくてもよい。ＷＴＲＵは、第３のカバレッジレベル（例えば、Ｙ＜ＲＳＲＰ）の周波数リソースがＮ３個のＰＲＢを含むことができると決定することができ、Ｎ３はＮ２より大きくてもよい（例えば、Ｎ１＜Ｎ２＜Ｎ３になる）。
【０１１２】
ＷＴＲＵは、測定されたダウンリンクカバレッジに基づいて（例えば、基準信号受信電力（ＲＳＲＰ）に基づいて）周波数リソースを決定することができる。異なるカバレッジレベルの時間／周波数リソースは、重複していなくてもよい。カバレッジレベルに関連付けられる時間／周波数リソースは、例えば、上位層シグナリングを介して構成され得る。
【０１１３】
ＷＴＲＵは、ＵＷおよび／またはＵＷがマッピングされる１つまたは複数のサブキャリアを通じて様々な送信パラメータを示すことができる。そのような送信パラメータは、例えば、ＷＴＲＵが送信のために使用した周波数リソース（例えば、サブキャリア）を含むことができる。説明するために、ＵＷ  ＤＦＴ−ｓ−ＯＦＤＭ波形は、ＤＦＴブロックの末尾に挿入されたＵＷを含むことができる。そのような場合、時間領域のＵＷ信号は、アップサンプリングされた、および／または補間されたＵＷシーケンスと等しくてもよい。補間は、例えば、適切なスケーリングを有するディリクレ関数を使用して実行され得る。ＤＦＴブロックの出力がマッピングされ得る中心のサブキャリアは、Ｆcとして示され得る。ＩＤＦＴ出力の末尾において生成されたＵＷ信号は、ｗ0（ｎ）として示されることができ、ｎはサンプルインデックスであり得る。中心周波数がＦ0であるサブキャリアのブロックにマッピングされる別のＤＦＴブロックの末尾に、同じＵＷシーケンスが挿入され得る。結果として得られるＵＷ信号（例えば、ＩＤＦＴブロック出力の末尾において観測される）は、例えば、以下の式８に従って記述され得る。  
ｗ1（ｎ）＝ｗ0（ｎ）ｅｘｐ（ｊ２πｎ（Ｆ0−Ｆc）／Ｎ）  式８
式８に示されるように、Ｎはサブキャリアの数を表し、ＤＦＴの出力がＦ0の中心周波数にマッピングされるか、またはＦcの中心周波数にマッピングされるかにかかわらず、使用されるサブキャリアの数は同じであると仮定される。ｗ1（ｎ）はｗ0（ｎ）の変調バージョンであってもよく、時間領域において新しいＵＷを構成することができることが観測され得る。受信機は、受信機がＵＷをｗ1（ｎ）として識別する場合に、送信によって使用されるサブキャリアのセットを識別することができる。Ｆcは、例えば、Ｆcに対する１つまたは複数の割振り（例えば、Ｆcに対する全ての割振り）が知られている変調を有することができるように、基準サブキャリアとして設定され得る。異なるＷＴＲＵは、例えば、ＤＦＴ出力を異なるサブキャリアのセットにマッピングすることによって、同じＵＷシーケンスを使用することができる。
【０１１４】
上述したものと同じまたは類似の手法が、ＯＦＤＭ波形に使用され得る。ＤＦＴ拡散ブロックは、ＯＦＤＭ波形には存在しないことがある。データシンボルは、ＯＦＤＭ波形におけるサブキャリアにマッピング（例えば、直接マッピング）され得る。ＯＦＤＭの一例では、データおよびＵＷシーケンスは、そのようなマッピングが、データおよびＵＷシーケンスが時間領域において混合されることをもたらす可能性があるため、同じＩＦＦＴブロックの入力にマッピングされない可能性がある。そのようなデータまたはＵＷシーケンスは、ＩＦＦＴブロックにマッピングされ得る。さらに、データおよびＵＷシーケンスは、例えば、図５の例に示されるように、時間多重化され得る。
【０１１５】
図５は、ＵＷおよびデータの時間多重化の例である。ＵＷは、中心周波数Ｆcを有する１つまたは複数のサブキャリアの第１のセットにマッピングされ得る。ＵＷは、時間領域においてｗ0（ｎ）として示され得る。時間領域におけるＵＷの位置、例えばＵＷとともに入力として生成されたＯＦＤＭシンボルのインデックスは、中央コントローラによって構成され、制御され得る。同じＵＷが、中心周波数Ｆ0を有する１つまたは複数のサブキャリアの第２のセットにマッピングされる場合、ＵＷは、例えば、以下の式９に従って記述され得る。  
ｗ1（ｎ）＝ｗ0（ｎ）ｅｘｐ（Ｊ２πｎ（Ｆ0−Ｆc）／Ｎ）  式９
ＷＴＲＵは、ＷＴＲＵが最初にネットワークに接続されたときに、可能な送信リソースおよびパラメータのリストで構成され得る。リソースは、１つまたは複数のサブキャリア、１つまたは複数の時間期間（例えば、サブフレーム）、送信電力、ＷＴＲＵ識別子、またはＷＴＲＵ識別子を決定するための方法などを含むことができる。ＷＴＲＵは、ＷＴＲＵが送信するべきデータを有する場合、リストから送信リソースおよびパラメータを選択（例えば、自律的に選択）することができる。ＷＴＲＵは、特定の時間の持続時間にわたって待機した後に、パケットを再送信することができる。例えば、ＷＴＲＵは、パケットの以前の送信に続いて指定された時間内に確認応答が受信されない場合、パケットを再送信することができる。ＷＴＲＵは、新しい送信または再送信において、新しい、または変更された時間／周波数リソース、新しい、または変更されたＵＷなどの、新しい、または変更されたパラメータを使用することができる。
【０１１６】
複数の信号のタイミングアラインメントは、受信機において提供され得る。例えば、複数のＷＴＲＵは、１つまたは複数の多元接続技法を使用して、同じリソース要素（例えば、サブキャリア）上で送信することができる。ＷＴＲＵによって送信された信号が同期的に受信機に到達することができるように（例えば、受信機が、信号に含まれるデータビットなどの信号を検出し復号することができるように）、特定の多元接続技法が設計され得る。ある種の多元接続技法（例えば、ＯＦＤＭなどの波形）は、例えば、サイクリックプレフィックスの使用のためにタイミングオフセットを許容することができる。
【０１１７】
図６は、タイミングオフセットを有する非同期送信が受信機において受信され処理され得る時間軸に沿った受信ウィンドウの例を示す。より具体的には、複数のＷＴＲＵは、ＯＦＤＭ波形を使用して信号を送信することができる。信号は、特定の受信ウィンドウ内の受信機（例えば、基地局）に到達することができる。受信機は、（例えば、サイクリックプレフィックスに対応する信号の１つまたは複数の部分が破棄された後に）信号を処理するように構成されたＦＦＴブロックを含むことができる。さらに説明するために、第１のＷＴＲＵ、Ｗ１は、ＯＦＤＭシンボルＳ１を送信することができ、そのタイミングは受信ウィンドウと整列され得る。第２のＷＴＲＵ、Ｗ２は、連続するＯＦＤＭシンボルＳ２ａおよびＳ２ｂを送信することができ、そのタイミングは受信ウィンドウを超えて延在することができる（例えば、ＯＦＤＭシンボルＳ２ａおよびＳ２ｂは、それぞれ受信ウィンドウ内にある部分を含むことができる）。第３のＷＴＲＵ、Ｗ３は、連続するＯＦＤＭシンボルＳ３ａおよびＳ３ｂを送信することができ、そのタイミングは受信ウィンドウを越えて延在することができる（例えば、ＯＦＤＭシンボルＳ３ａおよびＳ３ｂは、それぞれ受信ウィンドウ内にある部分を含むことができる）。そのようなタイミングのずれは、ＯＦＤＭシンボルの直交性に影響を与える（例えば、破壊する）可能性があり、複数のＷＴＲＵ間で干渉を作成する可能性がある。干渉は、データが同じ時間／周波数リソースを使用して送信されるときに、複数のＷＴＲＵ（例えば、Ｗ１、Ｗ２、およびＷ３）によって送信されたデータを受信機が検出することを困難にする可能性がある。
【０１１８】
ＷＴＲＵおよび／または受信機は、マルチユーザ干渉を低減し、および／または受信機において複数のシンボルを整列させるように構成され得る。一例では、同じ時間／周波数リソース上で送信するＫ個のＷＴＲＵが存在することができる。送信の受信機は、ＷＴＲＵのうちの１つ、例えばＷＴＲＵ  ｋによって送信された１つまたは複数の信号と整列された受信ウィンドウを作成するように構成され得る。受信機は、他のＷＴＲＵによって送信された信号によって引き起こされる干渉を低減するようにさらに構成され得る。受信機は、他のＷＴＲＵのうちの１つまたは複数の（例えば、ＷＴＲＵ  １からＫごとに）干渉低減動作を実行することができる。受信機は、干渉低減の後に信号を組み立て、例えばＦＦＴ処理、マルチユーザ検出などを通じて信号をさらに処理することができる。
【０１１９】
複数のＷＴＲＵ間の干渉は、送信のための複数のチャネルを使用することによって低減され得る。複数のチャネルは、例えば、複数の送信アンテナおよび／または受信アンテナを利用することによって作成され得る。一例では、受信機にはＬ個の受信アンテナがあり、各ＷＴＲＵには１つの送信アンテナがあってよい。サブキャリアｋおよびユーザｉについて、受信機におけるＦＦＴ演算後の受信信号は、例えば、以下の式１０に従って記述され得る。  
Ｙik＝ｈikＸik＋ｎｏｉｓｅ＋ＩＣＩj，ｊ≠ｉ  式１０
ｈikは、サブキャリアｋおよびユーザｉのチャネルを表すことができる。Ｘikは、サブキャリアｋおよびユーザｉのデータシンボルを表すことができる。受信信号Ｙikは、ＩＣＩjとして提示されるキャリア間干渉成分を含むことができる。そのようなキャリア間干渉は、例えば、割り振られたサブキャリアの同じグループ上で送信する複数のＷＴＲＵによって引き起こされ得る。
【０１２０】
受信機は、複数のアンテナを含むことができる。受信機は、複数のアンテナによって受信された信号を結合するための最大比合成などの結合技法を採用するように構成され得る。結合演算の出力は、例えば以下の式１１に従って記述されることができ、式において、
【０１２１】
【数８】
2019520728.tif 000010
【０１２２】
は、チャネルｈikのエルミート行列（例えば、サブキャリアｋおよびユーザｉのための）を表すことができる。
【０１２３】
【数９】
2019520728.tif 000011
【０１２４】
式１１における第２項および第３項の大きさは、アンテナの数が増加するにつれて減少する場合があり、これはキャリア間干渉の減少をもたらす可能性がある。このように、大量のＭＩＭＯ（例えば、受信アンテナの数が非常に大きくなる可能性がある）は、複数のＷＴＲＵ間の干渉を実質的に低減する可能性がある。
【０１２５】
いくつかのシナリオでは（例えば、受信アンテナおよび／または送信アンテナの数が複数のＷＴＲＵ間の干渉を低減するために十分に多くない場合）、ＷＴＲＵは、送信のために異なるチャネルを作成するように構成され得る。例えば、ＷＴＲＵは、異なる時間／周波数リソースを介して同じデータを送信するように構成されることができ、受信機は、送信のために使用されるチャネルの数が十分に多い場合に、ＷＴＲＵ間の干渉を低減することが可能であることができる。
【０１２６】
図７は、異なる時間／周波数リソース上でデータを送信する例である。より具体的には、図７は、サンプルのグループホッピングパターンの一例を示す。図面における各四角形は、ＯＦＤＭシンボルまたはサブキャリアのグループなどの時間／周波数リソースを示すことができる。複数のＷＴＲＵは、同じ時間／周波数リソース上で送信することができる。例えば、複数のＷＴＲＵは、四角形ｓ１、ｓ２、ｓ３、ｓ４、ｓ５によって示されるリソースを使用してデータを送信することができる。この例では四角形ｓ１〜ｓ５が使用されているが、ＷＴＲＵは、図７に示される四角形の任意の組合せによって表されるリソースを使用してデータを送信することができ、リソース四角形は任意のパターンを形成することができることが理解されよう。パターンは、本明細書ではグループホッピングパターンと呼ばれることができ、また競合リソースとして定義され得る。
【０１２７】
例えば、ＮＯＭＡを使用ケースの非限定的な例として使用し、サブフレームおよびＴＴＩを時間期間の非限定的な例として使用して、ＵＬ電力制御の例が提供され得る。電力オフセットは、ＷＴＲＵの送信電力の動的な制御を、例えば送信ベースで可能にするために利用され得る。電力オフセットは、同じリソースを使用する１つまたは複数の送信に関連付けられる送信電力を増加または低減するために使用され得る。電力オフセットは、送信のうちの第１のものを送信の第２のものと区別することを助けることができる。電力オフセットは、受信機（例えば、ｅＮＢ）において電力領域ＮＯＭＡを可能にするために利用され得る。
【０１２８】
ＷＴＲＵは、（例えば、ＵＬ内の）送信に電力オフセットを適用するように構成され得る。ＷＴＲＵは、ＮＯＭＡが使用され得るサブフレームにおいて、電力オフセットを適用することができる（例えば、ＷＴＲＵは、送信のＮＯＭＡ部分に電力オフセットを適用するように構成され得る）。ＷＴＲＵは、ＮＯＭＡが使用されていないサブフレームにおいて、電力オフセットを適用しないことを決定することができる（例えば、ＷＴＲＵは、送信の非ＮＯＭＡ部分に電力オフセットを適用しないように構成され得る）。電力オフセットは、正であってもよく、負であってもよい。言い換えれば、ＷＴＲＵは、送信電力から電力オフセットを加算することもでき、減算することもできる。１つまたは複数の電力オフセットが提供され（例えば、ｅＮＢなどのネットワーク構成要素によって構成され）てもよく、および／または（例えば、ＷＴＲＵによって）使用されてもよい。例えば、ｅＮＢは、上位層シグナリングまたは動的シグナリングを通じて１つまたは複数の電力オフセットを提供するように構成され得る。１つまたは複数の電力オフセットは、ｅＮＢからＷＴＲＵによって受信され得る。
【０１２９】
ネットワーク構成要素（例えば、ｅＮＢ）は、ＮＯＭＡおよび／または電力オフセットを適用する指示をＷＴＲＵに提供することができる。例えば、ネットワーク構成要素は、ＮＯＭＡおよび／または電力オフセットが送信または複数の送信のために使用されるべきかどうかを、物理層シグナリングを介してＷＴＲＵに示すことができる。指示は、電力オフセットのセットのうちのどの電力オフセットがＷＴＲＵによって使用されるべきかに関する情報を含むことができる。電力オフセットのセットは、ＷＴＲＵによって構成されてもよく、別の方法で知られてもよい。
【０１３０】
例えば、電力領域ＮＯＭＡまたは符号領域ＮＯＭＡを含む１つまたは複数のＮＯＭＡタイプが存在してもよい。使用されるべきＮＯＭＡタイプは、（例えば、ｅＮＢなどのネットワーク構成要素によって）提供されてもよく、および／またはＷＴＲＵによって受信されてもよい。例えば、ＮＯＭＡを使用する指示は、特定のＮＯＭＡタイプを使用する指示を含むことができる。あるいは、特定のＮＯＭＡタイプを使用する指示は、ＮＯＭＡを使用する指示とは別に提供され得る。本明細書で説明される物理層シグナリングは、ＤＬ制御チャネル、ＤＬ制御情報（ＤＣＩ）、ＵＬ許可もしくはＤＬ許可などの許可など、および／または同様のものを介して提供され得る。
【０１３１】
ＷＴＲＵは、ＮＯＭＡを使用する明示的な指示および／または送信のための電力オフセットなどの１つまたは複数の指示を受信することができる。１つまたは複数の指示は、使用する特定のＮＯＭＡタイプをさらに示すことができる。ＷＴＲＵは、ネットワーク（例えば、ｅＮＢ）から動的シグナリング（例えば、ＤＣＩの一部として）を介して１つまたは複数の指示を受信することができる。動的シグナリングは、送信のためのリソースを許可することができる。電力オフセットを適用する指示を受信すると、ＷＴＲＵは、リソースが許可されている送信のための電力計算または決定において電力オフセットを適用することができる。１つまたは複数の指示は、インデックスを含むことができる。インデックスは、構成されているか、またはＷＴＲＵに知られている可能性がある電力オフセットのセットの中の電力オフセットを表すことができる。ＷＴＲＵは、指示されたインデックスに基づいて電力オフセットを選択および／または適用することができる。
【０１３２】
ＷＴＲＵは、ＷＴＲＵが送信のためにコンステレーションのどのビット（例えば、最下位ビット（ＬＳＢ）および／または最上位ビット（ＭＳＢ））を使用できるかの指示を受信することができる。この指示は、ＵＬ許可において提供され得る。ＷＴＲＵは、指示に従って送信を実行することができる。ＷＴＲＵは、ＬＳＢおよび／またはＭＳＢ上で送信する指示を、ＮＯＭＡ送信または特定のタイプのＮＯＭＡ送信を実行するための指示として解釈するように構成され得る。ＷＴＲＵは、ＮＯＭＡ送信および／または特定のタイプのＮＯＭＡ送信に対して電力オフセットを適用するようにさらに構成され得る。
【０１３３】
ＷＴＲＵは、ＷＴＲＵがＭＳＢ上で送信する指示を受信した場合に（例えば、その場合のみ）、電力オフセットを適用するように構成され得る。ＷＴＲＵは、ＷＴＲＵがＬＳＢ上で送信する指示を受信した場合に（例えば、その場合のみ）、電力オフセットを適用するように構成され得る。ＷＴＲＵは、ＷＴＲＵがＬＳＢまたはＭＳＢ上で送信する指示を受信した場合、電力オフセットを適用しないように構成され得る。ＷＴＲＵは、ＷＴＲＵがビットの両方のセット（例えば、ＬＳＢおよびＭＳＢ）上で送信する指示を受信した場合に、ＮＯＭＡ電力オフセットなどの電力オフセットを適用しないように構成され得る。
【０１３４】
ＷＴＲＵは、１つまたは複数のＮＯＭＡタイプ（例えば、電力領域ＮＯＭＡなど）に対して（例えば、それのみに対して）電力オフセットを適用するように構成され得る。ＷＴＲＵは、１つまたは複数のＮＯＭＡタイプ（例えば、符号領域ＮＯＭＡなど）に対して電力オフセットを適用しないように構成され得る。ＷＴＲＵは、ＮＯＭＡタイプに基づいて異なる電力オフセットを適用するように構成され得る。例えば、ＷＴＲＵは、第１のＮＯＭＡタイプに対して第１の電力オフセットを適用し、第２のＮＯＭＡタイプに対して第２の電力オフセットを適用するように構成され得る。
【０１３５】
ＷＴＲＵは、ＮＯＭＡまたは特定のタイプのＮＯＭＡが示されていないＵＬ送信に対してＮＯＭＡ電力オフセットなどの電力オフセットを適用しないように構成され得る。ＷＴＲＵは、ＮＯＭＡまたは特定のタイプのＮＯＭＡが使用されるべきではないと示されているＵＬ送信に対してＮＯＭＡ電力オフセットなどの電力オフセットを適用しないように構成され得る。ＮＯＭＡまたは特定のタイプのＮＯＭＡを使用しないという指示は、ＵＬ送信のための許可において提供され得る。
【０１３６】
ＷＴＲＵは、電力オフセットが示されていないＵＬ送信に電力オフセットを適用しないように構成され得る。ＷＴＲＵは、電力オフセットが使用されるべきではないと示されているＵＬ送信に対して電力オフセットを適用しないように構成され得る。電力オフセットを使用しないという指示は、ＵＬ送信のための許可において提供され得る。
【０１３７】
電力オフセットの適用は、例えば送信ベースでアクティブ化され得る。例えば、ＮＯＭＡ、ＮＯＭＡタイプ、および／または電力オフセットを適用する指示は、特定の送信に関連付けられることができる。ＷＴＲＵは、ＮＯＭＡ、ＮＯＭＡタイプ、および／または電力オフセットを、その特定の送信にのみ適用するように構成され得る。このように、ＷＴＲＵは、第１の送信に対して電力オフセットを適用することができ、第２の送信に対しては電力オフセットを適用しない。第１および第２の送信は、同じチャネル上にあってもよい。第２の送信は、第１の送信よりも後の送信であってもよい（例えば、第２の送信は、第１の送信の後のちょうど次の送信であってもよい）。第１および第２の送信は、同じキャリア上にあってもよい。ＷＴＲＵは、特定の送信または特定の送信のセットに対して電力オフセットを適用することができる。ＷＴＲＵは、第１の送信または第１の送信のセットに対して電力オフセットを適用した後、後続の送信または後続の送信のセットに対して電力オフセットを除去する（例えば、電力オフセットを適用しない）ことができる。
【０１３８】
ＷＴＲＵは、ＮＯＭＡ、ＮＯＭＡタイプ、および／または電力オフセットの適用を開始する時期に関するアクティブ化指示を受信することができる。ＷＴＲＵは、物理層シグナリングにおいてアクティブ化指示を受信することができる。ＷＴＲＵは、ＭＡＣ制御要素（ＭＡＣ−ＣＥ）などのＭＡＣ層シグナリングにおいてアクティブ化指示を受信することができる。アクティブ化指示は、ＮＯＭＡ、ＮＯＭＡタイプ、および／または電力オフセットを適用するための開始時間期間を含むことができる。アクティブ化指示を受信すると、ＷＴＲＵは、開始時間期間にＮＯＭＡ、ＮＯＭＡタイプ、および／または電力オフセットの適用を開始することができる。一例では、ＷＴＲＵは、アクティブ化が受信された時間期間の少なくともｋの時間期間後であるＵＬ送信を伴うＮＯＭＡ、ＮＯＭＡタイプ、および／または電力オフセットの適用を開始することができる。ｋの値は、構成可能であってもよい（例えば、ｋは、０、１、４などの整数値を有するように構成され得る）。一例では、ＷＴＲＵは、許可またはアクティブ化を含む他の物理層シグナリングが受信されたＵＬ送信を伴うＮＯＭＡ、ＮＯＭＡタイプ、および／また電力オフセットの適用を開始することができる。
【０１３９】
ＷＴＲＵは、一定の時間期間にわたって、時間期間のセットにわたって、またはＮＯＭＡ、ＮＯＭＡタイプ、または電力オフセットを停止する指示が受信されるまで、ＮＯＭＡ、ＮＯＭＡタイプ、および／もしくは電力オフセットを適用することができる。ＷＴＲＵは、ＮＯＭＡ、ＮＯＭＡタイプ、および／または電力オフセットが、物理層シグナリングまたは上位層シグナリングを介して適用されるべき持続時間または時間期間の数を受信することができる。ＷＴＲＵは、ＭＡＣ−ＣＥなどにおける物理層シグナリングまたはＭＡＣ層シグナリングを介して、ＮＯＭＡ、ＮＯＭＡタイプ、および／または電力オフセットを停止する（例えば、非アクティブ化する）指示を受信することができる。ＷＴＲＵは、ＷＴＲＵがＮＯＭＡ、ＮＯＭＡタイプ、および／または電力オフセットを停止または非アクティブ化する指示を受信した時間期間の後、ｍの時間期間内（例えば、ｍの時間期間以内）にＮＯＭＡ、ＮＯＭＡタイプ、および／または電力オフセットの適用を停止することができる。ｍの値は、構成可能であってもよい（例えば、ｍは０、１、４などの整数値を有するように構成され得る）。
【０１４０】
ＷＴＲＵの最大送信電力は制限され得る。ＮＯＭＡ電力オフセットなどの電力オフセットを適用するＷＴＲＵは、１つまたは複数の最大電力制約に従うことができる。例えば、ＷＴＲＵのチャネル電力（例えば、電力オフセットの有無にかかわらず）は、最大キャリア電力によって制限され得る。ＷＴＲＵの全電力（例えば、電力オフセットの有無にかかわらず）は、最大ＷＴＲＵ出力電力によって制限され得る。
【０１４１】
ＷＴＲＵは、以下に示される式１２、１３、１４、および１５のうちの１つまたは複数に基づいてそのチャネル電力を決定することができる。ＷＴＲＵは、そのチャネル電力の合計（例えば、チャネルキャリア電力Ｐｃｈａｎ,cを含む）をＰｃｍａｘに制限することができる。式１２によれば、ＷＴＲＵは、開ループ構成要素および／または閉ループ構成要素を含むことができるチャネル電力の決定において電力オフセットを適用することができる。式１３によれば、ＷＴＲＵは、特定のキャリア（例えば、Ｐｃｈａｎ,cとして示される）のチャネル電力の決定において電力オフセットを適用することができる。式１４によれば、ＷＴＲＵは、キャリアｃのチャネル電力を、最大電力Ｐｃｍａｘ，ｃ、および開ループ構成要素、閉ループ構成要素、および／または電力オフセットの関数であってよい計算された電力のうちの小さい方に設定することができる。式１５によれば、キャリアｃのＰＵＳＣＨチャネルに対する電力の決定にオフセットが適用され得る（例えば、式４に示されるように）。  
Ｐｃｈａｎ＝Ｐｏｐｅｎｌｏｏｐ＋Ｐｃｌｏｓｅｄｌｏｏｐ＋ＯｆｆｓｅｔNOMA  式１２
Ｐｃｈａｎ,c＝Ｐｏｐｅｎｌｏｏｐ,c＋Ｐｃｌｏｓｅｄｌｏｏｐ,c＋ＯｆｆｓｅｔNOMA,c  式１３
Ｐｃｈａｎ,c＝ｍｉｎ［Ｐｃｍａｘ，ｃ，（Ｐｏｐｅｎｌｏｏｐ,c＋Ｐｃｌｏｓｅｄｌｏｏｐ,c＋ＯｆｆｓｅｔNOMA,c）」  式１４
【０１４２】
【数１０】
2019520728.tif 000012
【０１４３】
ＷＴＲＵは、最大電力を使用する指示を受信することができる。例えば、ＷＴＲＵは、特定のチャネルの送信などの特定の送信に対して最大電力を使用する指示を（例えば、動的に）受信することができる。ＷＴＲＵは、例えば、ＵＬ許可などの物理チャネルシグナリングにおいて、指示を受信することができる。指示に基づいて、ＷＴＲＵは、最大電力で送信（例えば、チャネルを送信）することができる。送信は、例えば、関連付けられるＵＬ許可によって示されるリソースを使用して実行され得る。
【０１４４】
ＷＴＲＵは、最大電力で送信されるように示されたチャネルが高い優先度を有する（例えば、最も高い優先度を有する）と仮定することができる。ＷＴＲＵは、最大電力で送信されるように示されたチャネルを送信するために、別のチャネルをドロップすることができる（例えば、ＷＴＲＵは、他の全てのチャネルをドロップすることができる）。
【０１４５】
ＷＴＲＵは、最大電力で送信されるように示されたチャネルを通常の優先チャネルとして扱い、それに応じて電力を割り振ることができる。例えば、最大電力で送信されるように示されたチャネルが最も高い優先度を有するチャネルではない場合、ＷＴＲＵは、より高い優先度のチャネルに電力を最初に割り振り、次いで、残りの電力（例えば、残りの電力の全て）を指示されたチャネルに割り振ることができる。
【０１４６】
最大電力の使用に関して本明細書で提供される例は、電力オフセットの使用に適用可能であってよく、その逆も同様である。例えば、ＷＴＲＵは、送信（例えば、チャネルの送信）のためにコンステレーションＭＳＢまたはＬＳＢを使用する指示を、最大電力で送信するための指示として処理するように構成され得る。
【０１４７】
ＷＴＲＵは、絶対ＴＰＣを適用することとＴＰＣ累積を適用することとの間で切り替えることができる。例えば、ＷＴＲＵが（例えば、動的に）受信する指示に基づいて、ＷＴＲＵは絶対ＴＰＣまたはＴＰＣ累積を適用するように構成され得る。そのような指示は、例えば、ＵＬ許可などにおいて、物理層シグナリングにおいて提供され、および／または受信され得る。ＷＴＲＵは、リソースが許可される送信に絶対ＴＰＣまたはＴＰＣ累積を適用するように構成され得る。ＷＴＲＵは、リソースが許可される送信に絶対ＴＰＣまたはＴＰＣ累積だけを適用するように構成され得る。
【０１４８】
ＷＴＲＵは、１つまたは複数のサブフレームにおいてＴＰＣ累積を適用するように構成され得る。それらのサブフレームにおいて、ＷＴＲＵは、指示されたＴＰＣ調整をＴＰＣアキュムレータに適用することができ、ＷＴＲＵは、ＴＰＣアキュムレータの電力計算を使用することができる。ＷＴＲＵは、１つまたは複数のサブフレームにおいて絶対ＴＰＣを適用するように構成され得る。それらのサブフレームにおいて、ＷＴＲＵは、電力計算においてＴＰＣアキュムレータの代わりに指示されたＴＰＣ値を使用することができる。ＷＴＲＵは、絶対ＴＰＣが使用されるべきサブフレームにおいてＴＰＣアキュムレータを維持し続けることができる。ＷＴＲＵは、それらのサブフレームにおいてＴＰＣアキュムレータを調整しないことがある。例えば、ＷＴＲＵは、それらのサブフレームにおいてＴＰＣアキュムレータの状態を保存することができ、後にＴＰＣアキュムレータを使用するために指示を受信するとき、保存されたＴＰＣアキュムレータを使用することに切り替えることができる。
【０１４９】
周波数ホッピングは、例えば、周波数ダイバーシティを達成するために、送信（例えば、アップリンク送信）において使用され得る。コードブロックの一部は、周波数ホッピングが使用されるとき、チャネル帯域幅の異なる部分上で送信され得る。例えば、コードブロック内のビットの一部（例えば、前半）は、時間期間の第１の部分におけるサブキャリアのサブセット上で送信され得る。サブキャリアのサブセットは、例えば、サブキャリア１からＫ１、またはサブキャリアＫ１からＫ２を含むことができ、Ｋ１およびＫ２は整数であってもよい。時間期間の第１の部分は、例えば、サブフレームの第１のスロットであってもよい。同様に、コードブロック内のビットの第２の部分（例えば、後半）は、サブキャリアの第２のサブセット上で送信され得る。そのようなサブキャリアの第２のサブセットは、例えば、サブキャリアＫ１からＫ２、サブキャリアＫ２からＫ３、サブキャリアＫ１＋１からＮ、またはサブキャリアＮ−Ｋ１＋１からＮを含むことができ、Ｋ１、Ｋ２、Ｋ３、およびＮは整数であってもよい。Ｎは、チャネル内のサブキャリアの総数であってもよい。
【０１５０】
特定の送信のためのホッピングパターンは、構成（例えば、明示的に構成）および／またはシグナリングされ得る。構成および／またはシグナリングは、例えば、基地局などの中央コントローラによって提供され得る。ホッピングパターンは、時間期間、時間期間の一部、時間期間のセット、および／または時間期間部分のセットの１つまたは複数の部分において送信され得るサブキャリアのサブセットを決定するために識別する、および／または使用され得る。
【０１５１】
図８は、周波数ホッピングによる電力制御の例である。示されるように、矩形は、時間領域におけるシンボル（例えば、ＯＦＤＭまたはＤＦＴ−ｓ−ＯＦＤＭシンボル）、および／または周波数領域におけるサブキャリアのセットを示すことができる。本明細書で参照されるサブキャリアのセットは、１つまたは複数のサブキャリアを含むことができる。サブキャリアのセットは、チャネル帯域幅内のサブキャリアのサブセットを含むことができる。時間期間は、サブフレームを含むことができる。サブフレームは、２つのスロット（例えば、２つのタイムスロット）を含むことができる。タイムスロットは、７つのシンボルを含むことができる。チャネル帯域幅の反対の端のサブキャリアは、データ送信のために使用され得る。本明細書で説明されるホッピングは、帯域幅の一端から帯域幅の他端までであり得る。
【０１５２】
周波数ホッピングが使用される場合、別個の電力制御および／または電力制御コマンドが、コードブロックの一部に対して提供および／または使用され得る。コードブロックの一部は、サブキャリアの異なるサブセットにマッピングされ得る。例えば、別個のＴＰＣコマンドおよび／または電力オフセットが、時間期間の第１の部分および第２の部分におけるサブキャリアにそれぞれマッピングされ得るコードブロックの第１の部分および第２の部分に対して提供および／または使用され得る。
【０１５３】
一例（例えば、図８に示される例など）では、ＴＰＣコマンド１および／または電力オフセット１は、第１のスロットにおけるコードブロックの前半の送信に適用することができる。ＴＰＣコマンド２および／または電力オフセット２は、第２のスロットにおけるコードブロックの後半に適用することができる。ＷＴＲＵは、例えば、対応するＴＰＣ値および／または電力オフセットに基づいて、コードブロックの第１の部分および／または第２の部分の送信電力を（例えば、独立して）決定することができる。
【０１５４】
コードブロックの第１の部分および／または第２の部分に対する送信電力は、以下のうちの少なくとも１つに基づいて決定され得る。送信電力は、第１のコードブロックに対応するか、または第１のコードブロックに対して指示され得る第１のＴＰＣ値に基づいて決され得る。送信電力は、第２のコードブロックに対応するか、または第２のコードブロックに対して指示され得る第２のＴＰＣ値に基づいて決され得る。送信電力は、第１のコードブロックに対応するか、または第１のコードブロックに対して指示され得る第１の電力オフセットに基づいて決定され得る。送信電力は、第２のコードブロックに対応するか、または第２のコードブロックに対して指示され得る第２の電力オフセットに基づいて決定され得る。例えば、コードブロックの第１の部分に対する送信電力は、第１の電力オフセットに基づいて決定されることができ、コードブロックの第２の部分の送信電力は、第１の電力オフセットと第２の電力オフセットの合計などの、第１の電力オフセットおよび第２の電力オフセットに基づいて決定され得る。
【０１５５】
コードブロックの第１の部分およびコードブロックの第２の部分は、時間期間の別個の部分において送信され得る。例えば、コードブロックの第１の部分および第２の部分は、サブフレームの別個のシンボルまたはスロットにおいて送信され得る。コードブロックの第１の部分およびコードブロックの第２の部分は、周波数ホッピングが使用される場合、周波数スパン（例えば、チャネル帯域幅）の別個の部分において送信され得る。周波数スパンの別個の部分は、例えば、サブキャリアの別個のセットまたはサブセットを含むことができる。周波数スパンの第２の部分は、重複していても、重複していなくても、または部分的に重複していなくてもよい。
【０１５６】
周波数ホッピング電力制御は、ＮＯＭＡに提供され得る。ＷＴＲＵは、部分コードブロックレベルで開ループおよび／または閉ループ電力制御を実行するように構成され得る。例えば、ＷＴＲＵは、コードブロックが（例えば、時間的に）分割され得る、および／または（例えば、周波数において）ホッピングすることができる時間レベルで開ループおよび／または閉ループ電力制御を実行するように構成され得る。部分コードブロックは、コードブロックの一部であってもよい。
【０１５７】
ＷＴＲＵは、例えば、半分のコードブロックのレベルでリソースが提供および／または使用され得るときに、コードブロックの半分に対して開ループおよび／または閉ループ電力制御を実行するように構成され得る。ＷＴＲＵは、例えば、周波数ホッピングがタイムスロットの中にある場合など、タイムスロットレベルで開ループおよび／または閉ループ電力制御を実行するように構成され得る。
【０１５８】
ＷＴＲＵは、部分的なコードブロックレベルで、またはコードブロックが（例えば、時間的に）分割され得る、および／または（例えば、周波数において）ホッピングすることができる時間レベルで、以下の少なくとも１つを実行するように構成され得る。ＷＴＲＵは、ＴＰＣコマンドの累積を適用するように、またはＴＰＣコマンド値および／もしくはオフセットを適用するように構成され得る。ＷＴＲＵは、電力計算、決定、および／または適用を実行するように構成され得る。ＷＴＲＵは、最大電力決定を実行するように構成され得る。ＷＴＲＵは、最大電力を超えることを回避するために、ルール（例えば、スケーリングルール）を適用するように構成され得る。ＷＴＲＵは、本明細書に記載される１つまたは複数の例などによる、ＮＯＭＡを適用するように構成され得る。ＷＴＲＵは、電力オフセット（例えば、ＮＯＭＡに対して）を適用するように構成され得る。ＷＴＲＵは、ＴＰＣコマンド値またはオフセットに基づいて、またはＴＰＣコマンド値もしくはオフセットに従って電力を調整するなどのために、ＴＰＣコマンド値またはオフセットを適用するように構成され得る。ＷＴＲＵは、電力の計算および／または決定において、ＴＰＣ値を使用することとＴＰＣ累積を使用することとの間で切り替えるように構成され得る。
【０１５９】
ＷＴＲＵは、コマンド（例えば、ＴＰＣコマンド）、オフセット（例えば、電力オフセット）、および／または指示（例えば、ＮＯＭＡ指示または電力オフセットを使用する指示）を受信することができる。コマンド、オフセット、および／または指示は、コードブロックレベルで（例えば、コードブロックまたはコードブロックのセットの場合）、またはコードブロックが分割され得る、および／もしくはホッピングすることができる時間レベルで（例えば、時間期間または時間期間のセットの場合）提供され得る。例えば、ＷＴＲＵは、部分的なコードブロックレベルで、またはコードブロックが（例えば、時間的に）分割され得る、および／もしくは（例えば、周波数において）ホッピングすることができる時間レベルで、コマンド（例えば、ＴＰＣコマンド）、オフセット（例えば、電力オフセット）、および／または指示（例えば、ＮＯＭＡ指示または電力オフセットを使用する指示）を受信することができる。
【０１６０】
ＷＴＲＵは、１つまたは複数のコマンド（例えば、コマンド値またはコマンドオフセット）、１つまたは複数のオフセット（例えば、電力オフセット）、および／または１つまたは複数の指示を、コードブロックレベルで、またはコードブロックが分割され得る、および／またはホッピングすることができる時間レベルで、受信することができる。例えば、コードブロックがｘ個の部分に分割されている場合、ＷＴＲＵは、ｘ個のコマンド、オフセット、および／または指示を受信することができる。コマンド、オフセット、および／または指示は、部分コードブロックのためのものであってもよく、部分コードブロックへの適用であってもよい。
【０１６１】
ＷＴＲＵは、部分コードブロックについて、またはコードブロックが（例えば、時間的に）分割され得る、および／もしくは（例えば、周波数において）ホッピングすることができる時間期間について、以下のうちの少なくとも１つを受信することができる。ＷＴＲＵは、ＴＰＣコマンドを受信することができる。ＷＴＲＵは、電力オフセット（例えば、ＮＯＭＡに対して）を受信することができる。ＷＴＲＵは、電力オフセットを使用する指示を受信することができる。ＷＴＲＵは、ＮＯＭＡ指示を受信することができる。ＷＴＲＵは、ＮＯＭＡまたは電力オフセットを使用するためのアクティブ化指示、持続時間、または停止指示を受信することができる。ＷＴＲＵは、ＴＰＣ値を使用することとＴＰＣ累積を使用することとの間で切り替える指示を受信することができる。
【０１６２】
ＷＴＲＵは、部分的なコードブロックレベルで、またはコードブロックが（例えば、時間的に）分割され得る、および／もしくは（例えば、周波数において）ホッピングすることができる時間レベルで、以下の少なくとも１つを適用することができる。ＷＴＲＵは、ＴＰＣコマンドを適用することができる。ＷＴＲＵは、例えば、電力オフセットを使用する指示に基づいて、電力オフセット（例えば、ＮＯＭＡに対して）を適用することができる。ＷＴＲＵは、（例えば、ＮＯＭＡ指示に基づいて）ＮＯＭＡを適用することができる。ＷＴＲＵは、ＮＯＭＡまたは電力オフセットを（例えば、アクティブ化指示に基づいて）アクティブ化するか、（例えば、持続時間指示に基づいて）維持するか、または（例えば、停止指示に基づいて）停止することができる。ＷＴＲＵは、ＴＰＣ値を使用することとＴＰＣ累積を使用することとの間で切り替えることができる。
【０１６３】
ＴＰＣコマンドは、コードブロックの一部に対して提供および／または使用され得る。例えば、第１のＴＰＣコマンドは、コードブロックの第１の部分に対して提供および／または使用されることができ、第２のＴＰＣコマンドは、コードブロックの第２の部分に対して提供および／または使用され得る。ＴＰＣコマンドは、コードブロックの一部に対して値またはオフセット（例えば、インクリメントまたはデクリメント）を提供することができる。ＷＴＲＵは、コードブロックの一部についてＴＰＣコマンドを累積することができる。
【０１６４】
ＷＴＲＵは、コードブロックの一部の送信電力を計算および／または決定するために、ＴＰＣコマンド値またはＴＰＣコマンドオフセットの累積を使用することができる。ＷＴＲＵは、電力制御の閉ループ構成要素の一部として前述の動作を実行することができる。例えば、ＷＴＲＵは、第１のコードブロックの送信電力を計算および／または決定するために第１のコードブロックに第１のＴＰＣコマンド値またはオフセットを使用することができる。ＷＴＲＵは、第２のコードブロックの送信電力を計算および／または決定するために、第２のコードブロックに第２のＴＰＣコマンド値またはオフセットを使用することができる。
【０１６５】
ＴＰＣコマンドは、コードブロックの１つまたは複数の部分に対するＴＰＣコマンド値またはＴＰＣコマンドオフセット（例えば、インクリメントまたはデクリメント）を提供することができる。例えば、ＴＰＣコマンドは、コードブロックの第１の部分に対して第１のＴＰＣ値またはＴＰＣオフセットを提供し、コードブロックの第２の部分に対して第２のＴＰＣ値またはＴＰＣオフセットを提供することができる。電力オフセット（例えば、ＮＯＭＡに対して）は、コードブロックの一部に適用され得る。例えば、第１の電力オフセットは、コードブロックの第１の部分に対して提供および／または使用され、第２の電力オフセットは、コードブロックの第２の部分に対して提供および／または使用され得る。ＷＴＲＵは、コードブロックの一部に対して送信電力の計算または決定において電力オフセットを使用することができる。例えば、ＷＴＲＵは、第１のコードブロック用の送信電力を計算および／または決定するために、第１のコードブロック用に構成された第１の電力オフセットを使用することができる。ＷＴＲＵは、第２のコードブロック用の送信電力を計算および／または決定するために、第２のコードブロック用に構成された第２の電力オフセットを使用することができる。
【０１６６】
ＷＴＲＵは、例えば、許可なし送信のために、自律的な電力制御を適用するように構成され得る。許可なし送信は、基地局などの中央コントローラからの許可なしの、ＷＴＲＵによる送信を指すことができる。そのような許可なし送信は、例えば、ＮＯＭＡ技法を使用して実行され得る。中央コントローラという用語は、構成、制御、スケジューリング、および／または同期信号もしくは情報を提供することができる基地局、アクセスポイント、ネットワークノード、および／または他のエンティティを指すことができる。
【０１６７】
ＷＴＲＵは、許可が提供されない場合、１つまたは複数の送信パラメータを選択することができる。ＷＴＲＵは、１つまたは複数の送信パラメータを自律的に（例えば、中央コントローラからの命令または構成なしに）選択することができる。１つまたは複数の送信パラメータは、例えば、送信のために使用され得る送信電力、時間および／または周波数リソース、送信のために使用され得る変調および／または符号化次数、トランスポートブロックサイズ等を含むことができる。
【０１６８】
ＷＴＲＵは、送信（例えば、許可不要送信など）のために使用され得るプールまたは時間／周波数リソースのセットで構成され得る。プールまたは時間／周波数リソースのセットは、リソースプールに参照され得る。「時間／周波数」という用語は、時間および／または周波数を表すために使用され得る。
【０１６９】
図９は、許可不要送信のための時間／周波数に関するリソースプールの例を示す。ＷＴＲＵは、１つまたは複数のリソースプールで構成され得る。ＷＴＲＵは、送信するために、構成されたリソースプールのうちの１つまたは複数におけるリソースを使用することができる。例えば、ＮＯＭＡがシステムにおいて使用されている場合、複数のＷＴＲＵが同じリソースプールで構成され得る。送信のために利用されるリソースは、送信されるべきデータの量に依存してもよい。
【０１７０】
同じ時間／周波数リソース上で送信している可能性がある異なるＷＴＲＵは、例えば電力領域ＮＯＭＡを使用する場合、異なる受信されたＳＩＮＲおよび／または符号化／変調次数もしくは方式を有するように構成され得る。この差は、送信の受信機が干渉信号を分離するのを助けることができ、および／またはＳＩＣベースの受信機の使用を可能にすることができる。説明するために、２つのＷＴＲＵが同じ変調および符号化方式を用いて同じ時間／周波数リソース上で送信している可能性がある。第１のＷＴＲＵの受信されたＳＩＮＲは、第２のＷＴＲＵの受信されたＳＩＮＲと＋ＸｄＢまたは−ＸｄＢだけ異なっていてもよく、ここでＸは、例えば３または６の値を有することができる。
【０１７１】
異なるＷＴＲＵ（例えば、同じ時間／周波数リソースを使用して送信することができる）は、異なる符号化率を使用するように構成され得る。例えば、第１のＷＴＲＵの符号化率は、第２のＷＴＲＵの符号化率よりも高くてもよく、低くてもよい。同じリソースプールからのものなどの同じ時間／周波数リソースを使用して送信することができる異なるＷＴＲＵは、送信電力および／または送信のための符号化率などの１つまたは複数の送信パラメータを（例えば、自律的に）決定することができる。送信は、許可不要送信であってもよい。送信パラメータは、ＳＩＣが受信機において実行され得るように決定され得る。
【０１７２】
ＷＴＲＵは、１つまたは複数のパラメータに基づいて（例えば、ＵＬ送信またはチャネルのための）送信電力を決定および／または調整することができる。１つまたは複数のパラメータは、（例えば、基地局などの受信機とＷＴＲＵとの間の）経路損失および／または電力オフセットを含むことができる。ＷＴＲＵは、本明細書で説明されるように、電力オフセットをランダムに選択することができる。ＷＴＲＵは、経路損失を決定および／または測定することができる。ＷＴＲＵは、経路損失を補償するために、所望のブロック誤り率に対して十分な送信電力を提供するために、ランダムオフセットなどのオフセットを含むために、および／または他の目的のために、その送信電力を決定および／または調整することができる。
【０１７３】
ＷＴＲＵは、経路損失測定値、データレート要件などの１つまたは複数の要因に基づいて、送信電力を決定（例えば、計算）することができる。ＷＴＲＵは、決定された送信電力にランダムオフセットを追加することができる。ランダムオフセットは、例えば、同じリソースプールを使用して同時に送信することができる第１のＷＴＲＵおよび第２のＷＴＲＵの受信された信号対干渉雑音比（ＳＩＮＲ）が同じである確率を低減することができる。
【０１７４】
ＷＴＲＵは、例えば中央コントローラ（例えば、基地局）によって構成され得る範囲内のランダムオフセットを選択することができる。範囲は、例えば、−３から＋３であってもよく、またｄＢなどの様々な単位で指定され得る。異なるＷＴＲＵに異なる範囲が提供され得る。ＷＴＲＵは、ＷＴＲＵの最大送信電力制約に違反しないランダムオフセットを選択することができる。ＷＴＲＵは、ランダムオフセットの追加が最大送信電力制約の違反を引き起こす場合（例えば、オフセットを追加した後の電力値が最大送信電力よりも高くなる可能性がある場合など）、最大送信電力を送信電力として使用することができる。
【０１７５】
ＷＴＲＵは、送信の全持続時間に同じ電力オフセット（例えば、ランダムオフセット）を適用してもよく、または送信の異なる部分に（例えば、送信の持続時間の異なる間隔に）異なる電力オフセットを適用してもよい。例えば、送信はＮ個のサブフレームを最後にすることができる。サブフレームは、２つのスロットを含むことができる。スロットは、Ｍ個のＯＦＤＭシンボルまたはＤＦＴ−ｓ−ＯＦＤＭシンボルなどのＭ個のシンボルを含むことができる。ＷＴＲＵは、Ｎ個のサブフレームのうちの１つまたは複数（例えば、いくつかまたは全て）に同じ電力オフセット（例えば、ランダムオフセット）を適用することができる。ＷＴＲＵは、Ｎ個のサブフレームの異なるサブフレームに異なる（例えば、ランダムに選択された）電力オフセットを適用することができる。ＷＴＲＵは、サブフレーム内の異なるスロットに、サブフレーム内の異なるシンボルに、またはサブフレーム内の異なるシンボルのグループに、異なる（例えばランダムに選択された）電力オフセットを適用することができる。
【０１７６】
ネットワーク（例えば、基地局）は、以下のパラメータのうちの１つまたは複数を構成することができ、ＷＴＲＵは、ネットワークによって構成された１つまたは複数のパラメータからパラメータを選択および／または適用することができる。ＷＴＲＵは、以下のパラメータのうちの１つまたは複数を自律的に選択および／または決定することができる。１つまたは複数のパラメータは、例えば、電力オフセット値範囲、電力オフセット値（例えば、ランダム電力オフセット値）、および／または電力オフセットが適用され得る送信の１つまたは複数の部分を含み得る。例えば、パラメータは、電力オフセットが、送信の全持続時間に、送信の特定のサブフレーム、スロット、および／またはシンボルに、送信の１つまたは複数のＮＯＭＡ部分に適用されるべきであるが、送信の非ＮＯＭＡ部分には適用されるべきではないと指定することができる。
【０１７７】
中央コントローラ（例えば、基地局）は、ＷＴＲＵが選択するための電力オフセット値の範囲を構成（例えば、提供）することができる。値の範囲は、例えばＸから＋ＸｄＢであってもよく、Ｘの値は構成可能であってもよい。ＷＴＲＵは、構成された値の範囲からランダムに電力オフセットを選択し、ランダムに選択された電力オフセットを送信電力に適用することができる。ＷＴＲＵは、ランダムに選択された電力オフセットを送信の全持続時間に適用することができる。ＷＴＲＵは、ランダムに選択された電力オフセットを送信の一部に適用するように構成され得る。例えば、ＷＴＲＵは、第１の範囲（例えば、−Ｘから＋ＸｄＢ）からランダムに選択された電力オフセットを、送信のサブフレームの第１のセット（例えば、偶数サブフレーム）に適用し、第２の範囲（例えば、−Ｙから＋ＹｄＢ）からランダムに選択された電力オフセットを、送信のサブフレームの第２のセット（例えば、奇数サブフレーム）に適用することができる。
【０１７８】
ＷＴＲＵは、ＷＴＲＵが（例えば、ランダムに）選択したおよび／または適用した電力オフセット値を（例えば、基地局などのネットワーク構成要素に）送信および／または示すことができる。ＷＴＲＵは、例えば、選択された電力オフセットの値をアップリンク制御チャネルにおいて送信することができる。ＷＴＲＵは、例えば、ＷＴＲＵによって送信された１つまたは複数の基準信号によって、選択された電力オフセットの値を示す（例えば、暗示的に示す）ことができる。例えば、ＷＴＲＵは、ＷＴＲＵがデータ送信（例えば、データチャネル）または制御送信（例えば、制御チャネル）に適用することができる電力オフセットを使用して、基準信号を送信することができる。さらに説明するために、ＷＴＲＵがデータまたは制御送信のサブフレームに電力オフセットを適用する場合、ＷＴＲＵは、サブフレームにおいて送信され得る１つまたは複数の基準信号に電力オフセットを適用することによって電力オフセットを示すことができる。
【０１７９】
ＷＴＲＵは、パターンに従って、送信に電力オフセット値を適用することができる。電力オフセット値および／またはパターンは、中央コントローラによって構成され得る。ＷＴＲＵは、チャネル符号化前のビット数を表すことができるトランスポートブロックサイズ（ＴＢＳ）を自律的に選択することができる。ＷＴＲＵは、指定または構成された範囲内でＴＢＳを選択することができる。例えば、ＷＴＲＵは、ＭビットからＫビットの範囲からＴＢＳを選択することができる。選択されたＴＢＳは、符号化率を決定するために使用され得る。このように、ある範囲内のＴＢＳを選択することは、対応する範囲内の符号化率を選択することと同様の効果を有する可能性がある。ある範囲のＴＢＳおよび／または符号化率は、中央コントローラ（例えば、基地局など）によって構成され得る。ＷＴＲＵは、例えばアップリンク制御チャネルにおいて、送信の受信機への送信のために使用され得るＴＢＳを送信することができる。
【０１８０】
アップリンク（ＵＬ）非同期ＮＯＭＡのためのシステム、方法、および手段が開示された。ハイブリッド多元接続は、例えば、非同期送信および／または許可不要送信を有するＮＯＭＡを備えることができる。データストリームは、例えば、データストリームを送信するために使用される異なる電力および／またはリソースに基づいて区別され得る。同じリソース上で送信することができる複数のＷＴＲＵの送信電力は、例えば、ランダムに選択された電力オフセットを使用して動的に制御され得る。同じまたは異なるＷＴＲＵから発生する高電力送信および低電力送信は、例えば、連続的なキャンセルおよび／または干渉アラインメントに基づいてグループ化され得る。送信は自己完結型でもよく、送信を正確に識別し復号するための情報を備えてもよい。送信は、例えば、受信機におけるタイミング取得をサポートするために、組込み決定論的シーケンス（例えば、ユニークワード）を備えることができる。ユニークワード（ＵＷ）は、グループ固有であってもよく、ＷＴＲＵ固有であってもよい。ＵＷの長さは調整可能であってよい。送信に関連付けられるＵＷは、送信によって使用されるリソースを示すことができる。ＷＴＲＵは、ＵＷマッピングのために使用されるサブキャリアに基づいて識別され得る。電力制御（例えば、ＮＯＭＡに対して）は、周波数ホッピングに関連して提供され得る。許可なしアクセス（例えば、許可なし送信）のために、自律的電力制御が提供され得る。
【０１８１】
本明細書に記載されるプロセスおよび手段は、任意の組合せにおいて適用されることができ、他の無線技術またはサービスに適用することができる。ＷＴＲＵは、物理デバイスの識別、または加入関連識別（例えば、ＭＳＩＳＤＮ、ＳＩＰ  ＵＲＩなど）などのユーザの識別を参照することができる。ＷＴＲＵは、アプリケーションごとに使用され得るユーザ名などのアプリケーションベースの識別を参照することができる。
【０１８２】
上述のプロセスは、コンピュータおよび／またはプロセッサによる実行のためにコンピュータ可読媒体に組み込まれたコンピュータプログラム、ソフトウェア、および／またはファームウェアにおいて実装され得る。コンピュータ可読媒体の例は、これらに限定されないが、電子信号（有線および／または無線接続を介して送信される）および／またはコンピュータ可読記憶媒体を含む。コンピュータ可読記憶媒体の例は、これらに限定されないが、ＲＯＭ、ＲＡＭ、レジスタ、キャッシュメモリ、半導体メモリデバイス、これらに限定されないが、内蔵ハードディスクおよびリムーバブルディスクなどの磁気媒体、光磁気媒体、および／もしくはＣＤ−ＲＯＭディスクなどの光媒体、並びに／またはデジタル多用途ディスク（ＤＶＤ）を含む。ＷＴＲＵ、端末、基地局、ＲＮＣ、および／または任意のホストコンピュータにおいて使用するための無線周波数トランシーバを実装するために、ソフトウェアに関連付けられるプロセッサが使用され得る。
【図１Ａ】
2019520728.tif 000013
【図１Ｂ】
2019520728.tif 000014
【図１Ｃ】
2019520728.tif 000015
【図１Ｄ】
2019520728.tif 000016
【図１Ｅ】
2019520728.tif 000017
【図２】
2019520728.tif 000018
【図３】
2019520728.tif 000019
【図４】
2019520728.tif 000020
【図５】
2019520728.tif 000021
【図６】
2019520728.tif 000022
【図７】
2019520728.tif 000023
【図８】
2019520728.tif 000024
【図９】
2019520728.tif 000025
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
プロセッサを備えた無線送受信ユニット（ＷＴＲＵ）であって、前記プロセッサは、
ネットワークから構成を受信し、前記構成は前記ＷＴＲＵによるアップリンク動作に関連付けられる電力オフセットのセットを示し、
前記ネットワークから受信されたパラメータに少なくとも基づいてアップリンク送信を行う電力を算出し、
前記算出された電力を調整し、前記プロセッサが前記算出された電力を調整するように構成されることは、前記プロセッサが条件に基づいて前記算出された電力に電力オフセットを適用するように構成されることを備え、前記電力オフセットは、電力オフセットの前記セットから前記ＷＴＲＵによってランダムに選択され、
前記調整された電力を前記アップリンク送信の少なくとも一部のために使用する
ように構成された、ＷＴＲＵ。
【請求項２】
電力オフセットの前記セットが値の範囲を備える、請求項１のＷＴＲＵ。
【請求項３】
前記プロセッサが条件に基づいて前記算出された電力に前記電力オフセットを適用するように構成されることは、前記プロセッサが、前記アップリンク送信が非直交多元接続（ＮＯＭＡ）送信を備えるという決定に基づいて前記電力オフセットを適用するように構成されることを備える、請求項１のＷＴＲＵ。
【請求項４】
前記プロセッサが条件に基づいて前記算出された電力に前記電力オフセットを適用するように構成されることは、前記プロセッサが、前記電力オフセットが前記アップリンク送信に適用されるべきであることを示すダウンリンク制御情報（ＤＣＩ）を受信したことに応答して前記電力オフセットを適用するように構成されることを備える、請求項１のＷＴＲＵ。
【請求項５】
前記アップリンク送信は、許可不要送信である、請求項１のＷＴＲＵ。
【請求項６】
前記アップリンク送信は、第１の部分と第２の部分とを備え、前記調整された電力は、前記第１の部分に適用され、前記第２の部分には適用されない、請求項１のＷＴＲＵ。
【請求項７】
前記アップリンク送信の前記第１の部分は、非直交多元接続（ＮＯＭＡ）を通して送信されるデータを備え、前記アップリンク送信の前記第２の部分は、直交多元接続を通して送信されるデータを備える、請求項６のＷＴＲＵ。
【請求項８】
前記アップリンク送信の前記第１の部分は、前記アップリンク送信に関連付けられるシンボルの第１のサブセットを備え、前記アップリンク送信の前記第２の部分は、前記アップリンク送信に関連付けられるシンボルの第２のサブセットを備える、請求項６のＷＴＲＵ。
【請求項９】
前記パラメータは、送信電力制御（ＴＰＣ）コマンドを備える、請求項１のＷＴＲＵ。
【請求項１０】
無線送受信ユニット（ＷＴＲＵ）において実行される方法であって、
前記ＷＴＲＵがネットワークから構成を受信することであって、前記構成は前記ＷＴＲＵによるアップリンク動作に関連付けられる電力オフセットのセットを示す、ことと、
前記ＷＴＲＵが前記ネットワークから受信されたパラメータに少なくとも基づいてアップリンク送信を行う電力を算出することと、
前記ＷＴＲＵが前記算出された電力を調整することであって、前記ＷＴＲＵが前記算出された電力を調整することは、前記ＷＴＲＵが条件に基づいて前記算出された電力に電力オフセットを適用することを備え、前記電力オフセットは、電力オフセットの前記セットから前記ＷＴＲＵによってランダムに選択される、ことと、
前記ＷＴＲＵが前記調整された電力を前記アップリンク送信の少なくとも一部のために使用することと
を備える方法。
【請求項１１】
電力オフセットの前記セットが値の範囲を備える、請求項１０の方法。
【請求項１２】
前記ＷＴＲＵが条件に基づいて前記算出された電力に前記電力オフセットを適用することは、前記ＷＴＲＵが、前記アップリンク送信が非直交多元接続（ＮＯＭＡ）送信を備えるという決定に基づいて前記電力オフセットを適用することを備える、請求項１０の方法。
【請求項１３】
前記ＷＴＲＵが条件に基づいて前記算出された電力に前記電力オフセットを適用することは、前記ＷＴＲＵが、前記電力オフセットが前記アップリンク送信に適用されるべきであることを示すダウンリンク制御情報（ＤＣＩ）を受信したことに応答して前記電力オフセットを適用することを備える、請求項１０の方法。
【請求項１４】
前記アップリンク送信は、第１の部分と第２の部分とを備え、前記調整された電力は、前記第１の部分に適用され、前記第２の部分には適用されない、請求項１０の方法。
【請求項１５】
前記アップリンク送信の前記第１の部分は、非直交多元接続（ＮＯＭＡ）を通して送信されるデータを備え、前記アップリンク送信の前記第２の部分は、直交多元接続を通して送信されるデータを備える、請求項１４の方法。
【手続補正書】
【提出日】平成31年1月24日(2019.1.24)
【手続補正１】
【補正対象書類名】図面
【補正対象項目名】図１Ｅ
【補正方法】変更
【補正の内容】
【図１Ｅ】
2019520728.tif 000026
【国際調査報告】
2019520728.tif 000027
2019520728.tif 000028
2019520728.tif 000029